(57)【要約】【課題】介助装置において、設置のための施工を容易とするとともに、使用者が手摺本体部につかまった状態で支持部に引っかかることなくスムーズに移動することを可能とする。【解決手段】洋風便器２の近傍に設置されて洋風便器２の使用者の介助に用いられる手摺装置１であって、使用者がつかまる手摺本体部１１と、手摺本体部１１を支持する支持部１２と、を備え、支持部１２は、洋風便器２を設置したトイレ３の壁面６ａに沿うように配置され、支持部１２の洋風便器２側には、上面視で壁面６ａに垂直な方向に対して傾斜状の直線Ｌ１または湾曲線に沿う面取部３００が設けられている。【選択図】図２９
2020195774.tif 000002
【特許請求の範囲】
【請求項１】
腰掛式の大便器の近傍に設置されて前記大便器の使用者の介助に用いられる介助装置であって、
使用者がつかまる手摺本体部と、
前記手摺本体部を支持する支持部と、を備え、
前記支持部は、前記大便器を設置した部屋の壁面に沿うように配置され、
前記支持部の前記大便器側には、上面視で前記壁面に垂直な方向に対して傾斜状の直線または湾曲線に沿う面取部が設けられている
ことを特徴とする介助装置。
【請求項２】
前記面取部は、上面視で前記壁面に垂直な方向に対して傾斜状の直線に沿う傾斜面を有する
ことを特徴とする請求項１に記載の介助装置。
【請求項３】
前記面取部は、上下方向について前記支持部の下端から前記手摺本体部の近傍の部位まで連続して形成されている
ことを特徴とする請求項１または請求項２に記載の介助装置。
【請求項４】
前記面取部は、前記支持部の前記大便器側と反対側にも設けられている
ことを特徴とする請求項１〜３のいずれか１項に記載の介助装置。
【請求項５】
前記支持部は、
前記壁面に沿うように配置された支持フレームと、
前記支持フレームを覆うカバーと、を有し、
前記傾斜面は、前記カバーに形成されている
ことを特徴とする請求項２〜４のいずれか１項に記載の介助装置。
【請求項６】
前記手摺本体部は、前記支持部に対して水平方向に回動可能に設けられた支持アーム部を有する
ことを特徴とする請求項１〜５のいずれか１項に記載の介助装置。
【発明の詳細な説明】
【技術分野】
【０００１】
本発明は、腰掛式の大便器の近傍に設置されて大便器の使用者の介助に用いられる介助装置に関する。
【背景技術】
【０００２】
近年、高齢化や高齢者施設での人手不足に対応していくため、トイレ内における高齢者等の被介助者に対する介助機器の拡充が求められている。このような介助機器に関し、従来、腰掛式の大便器である洋風便器の近傍に設置される手摺装置が知られている（例えば、特許文献１参照。）。この手摺装置は、例えば、車椅子と便器との間の移乗の補助や、便座着座時の座位保持の補助等のために使用される。
【０００３】
特許文献１には、水平回動可能に設けられた手摺本体部を有する水平回動型の手摺装置が開示されており、この手摺装置は、手摺本体部の回動範囲を制限する手段や手摺本体部の回動をロックする手段等を有する。そして、特許文献１に開示されているような従来の手摺装置は、トイレ内において洋風便器の側方に位置する壁に支持された状態で設けられている。
【０００４】
壁に支持される手摺装置においては、被介助者（使用者）の体重等の比較的大きな荷重が手摺本体部に作用することから、手摺装置を支持する壁において相当程度の支持強度を確保する必要がある。このため、手摺装置の設置に際しては、既存の壁に対して壁の強度を確保するための補強構造を組み込む必要があり、また、既存の壁の構造によっては例えば壁等の建築物側の構造を一旦壊す必要がある。このようなことから、従来の手摺装置の設置においては、施工が大変であり、設置に時間がかかるという問題がある。
【０００５】
このような問題に対しては、手摺本体部を所定の支持部をなす支持構造物である躯体に支持させるとともに、その躯体を床面に固定し、手摺本体部に作用する荷重を床面で受ける構成が有効であると考えられる。このことは、床は、壁に比して、一般的に例えばコンクリート等の比較的堅固な構造であることが多いことに基づく。このように床面で荷重を受ける構成に関しては、特許文献１に、床面に立設された支柱に手摺本体部を回動可能に支持した構成が開示されている。
【０００６】
また、トイレ内に設置される介助機器に関し、床面で荷重を受ける構成が、特許文献２に開示されている。特許文献２には、介助機器の一種である介護台が開示されており、この介護台は、床に固定されたベースおよびベース上に立設された支柱を躯体とし、この躯体を構成する支柱に、介護台の台本体部である移乗部を支持させている。
【先行技術文献】
【特許文献】
【０００７】
【特許文献１】特開２０１８−１０２５３６号公報
【特許文献２】特開２００１−３６６号公報
【発明の概要】
【発明が解決しようとする課題】
【０００８】
上述したように床面で荷重を受ける構成の手摺装置は、車椅子と便器との間の移乗や便座着座時の座位保持を行うために、便器に対してある程度近い位置に設置される必要がある一方で、手摺本体部を支持する躯体が被介助者の移乗等の妨げにならないように、躯体と便器との間に被介助者の移乗等のためのスペースを確保する必要がある。このように便器との位置関係が考慮されて設置される手摺装置においては、例えば特許文献２に開示されているように、荷重が作用する部分を支持する躯体をトイレの壁面に沿わせるように配置することが考えられる。
【０００９】
しかしながら、手摺装置において、荷重が作用する部分である手摺本体部を支持する躯体をトイレの壁面に沿わせるように配置する場合、次のような問題がある。手摺本体部につかまった被介助者は、車椅子と便器との間の移乗の際などにおいて、体を壁面に沿わせながら移動する場合がある。つまり、被介助者は、車椅子と便器との間を移動する際など、手摺本体部につかまりながら、躯体が沿う壁面に体をあずけた状態で移動する場合がある。このような場合、壁面に沿うように設置された躯体に被介助者の体が引っかかり、躯体によって被介助者の移動が妨げられるおそれがある。
【００１０】
本発明は、上記のような問題点に鑑みてなされたものであり、設置のための施工を容易とすることができるとともに、使用者が手摺本体部につかまった状態で支持部に引っかかることなくスムーズに移動することができる介助装置を提供することを目的とする。
【課題を解決するための手段】
【００１１】
本発明に係る介助装置は、腰掛式の大便器の近傍に設置されて前記大便器の使用者の介助に用いられる介助装置であって、使用者がつかまる手摺本体部と、前記手摺本体部を支持する支持部と、を備え、前記支持部は、前記大便器を設置した部屋の壁面に沿うように配置され、前記支持部の前記大便器側には、上面視で前記壁面に垂直な方向に対して傾斜状の直線または湾曲線に沿う面取部が設けられているものである。
【００１２】
このような構成の介助装置によれば、設置のための施工を容易とすることができるとともに、使用者が手摺本体部につかまった状態で支持部に引っかかることなくスムーズに移動することができる。
【００１３】
本発明に係る介助装置の他の態様は、前記介助装置において、前記面取部は、上面視で前記壁面に垂直な方向に対して傾斜状の直線に沿う傾斜面を有するものである。
【００１４】
このような構成の介助装置によれば、支持部をコンパクトに構成することができるので、部屋内のスペースをより有効に活用することができるとともに、使用者は、大便器の周りにおいて、支持部に妨げられることなくよりスムーズに移動することが可能となる。
【００１５】
本発明に係る介助装置の他の態様は、前記介助装置において、前記面取部は、上下方向について前記支持部の下端から前記手摺本体部の近傍の部位まで連続して形成されているものである。
【００１６】
このような構成の介助装置によれば、手摺本体部によって視認しにくくなる使用者の下肢を、面取部に沿ってスムーズに移動させることができる。また、支持部付近の清掃性を向上させることができる。
【００１７】
本発明に係る介助装置の他の態様は、前記介助装置において、前記面取部は、前記支持部の前記大便器側と反対側にも設けられているものである。
【００１８】
このような構成の介助装置によれば、部屋における介助装置の取付け態様について、大便器に対する左右の側壁のいずれに対する取付け態様の場合にも対応することができる。
【００１９】
本発明に係る介助装置の他の態様は、前記介助装置において、前記支持部は、前記壁面に沿うように配置された支持フレームと、前記支持フレームを覆うカバーと、を有し、前記傾斜面は、前記カバーに形成されているものである。
【００２０】
このような構成の介助装置によれば、面取部の傾斜面を支持面として利用した使用者の移動をより快適でスムーズなものとすることが可能となる。
【００２１】
本発明に係る介助装置の他の態様は、前記介助装置において、前記手摺本体部は、前記支持部に対して水平方向に回動可能に設けられた支持アーム部を有するものである。
【００２２】
このような構成の介助装置によれば、使用者は、面取部の傾斜面に体を沿わせつつ、支持アーム部につかまってこれを回動させながら移動することができるため、使用者の移動をよりスムーズなものとすることができる。
【発明の効果】
【００２３】
本発明によれば、設置のための施工を容易とすることができるとともに、手摺本体部につかまった状態で、支持部に引っかかることなくスムーズに移動することができる。
【図面の簡単な説明】
【００２４】
【図１】本発明の第１実施形態に係る手摺装置が設置されたトイレ内を模式的に示す斜視図である。
【図２】本発明の第１実施形態に係る手摺装置が設置されたトイレ内を模式的に示す平面図である。
【図３】本発明の第１実施形態に係る手摺装置が設置されたトイレ内を模式的に示す側面図である。
【図４】本発明の第１実施形態に係る手摺装置の前方斜視図である。
【図５】本発明の第１実施形態に係る手摺装置の後方斜視図である。
【図６】本発明の第１実施形態に係る手摺装置の正面図である。
【図７】本発明の第１実施形態に係る手摺装置の右側面図である。
【図８】本発明の第１実施形態に係る手摺装置の平面図である。
【図９】本発明の第１実施形態に係る手摺装置の背面図である。
【図１０】本発明の第１実施形態に係る手摺装置の支持部側の底面図である。
【図１１】本発明の第１実施形態に係る手摺装置の手摺本体部および支持フレームとカバーとの分解斜視図である。
【図１２】本発明の第１実施形態に係る手摺本体部の前方斜視図である。
【図１３】本発明の第１実施形態に係る手摺本体部の一部分解前方斜視図である。
【図１４】本発明の第１実施形態に係る支持フレームの前方斜視図である。
【図１５】本発明の第１実施形態に係る支持フレームの正面図である。
【図１６】本発明の第１実施形態に係る支持フレームの右側面図である。
【図１７】本発明の第１実施形態に係る支持フレームの平面図である。
【図１８】図１５におけるＡ−Ａ位置の断面斜視図である。
【図１９】図６におけるＢ−Ｂ断面図である。
【図２０】図１５におけるＣ−Ｃ位置の部分断面図である。
【図２１】本発明の第１実施形態に係るカバーの前方斜視図である。
【図２２】本発明の第１実施形態に係るカバーの後方斜視図である。
【図２３】本発明の第１実施形態に係る手摺装置の使用態様の一例についての説明図である。
【図２４】本発明に係る隙間発生防止手段に係る係合フレーム部材の横フレーム部の構成を示す側面断面図である。
【図２５】本発明に係る隙間発生防止手段に係る係合フレーム部材の横フレーム部の構成を示す側面断面斜視図である。
【図２６】本発明に係る隙間発生防止手段に係る係合フレーム部材の縦フレーム部の構成を示す平面断面図である。
【図２７】本発明に係る隙間発生防止手段に係る係合フレーム部材の縦フレーム部の構成を示す平面断面斜視図である。
【図２８】本発明に係る隙間発生防止手段に係る係合フレーム部材の動作説明図である。
【図２９】本発明の第１実施形態に係る面取部の説明図である。
【図３０】本発明の第１実施形態に係る面取部の使用態様の一例を示す図である。
【図３１】本発明の第１実施形態に係る面取部の変形例１を示す図である。
【図３２】本発明の第１実施形態に係る面取部の変形例２を示す図である。
【図３３】本発明の第１実施形態に係る面取部の変形例３を示す図である。
【図３４】本発明の第２実施形態に係る手摺装置を示す前方斜視図である。
【図３５】本発明の第３実施形態に係る手摺装置の前方斜視図である。
【図３６】本発明の第３実施形態に係る手摺装置の正面図である。
【図３７】本発明の第３実施形態に係る手摺装置の右側面図である。
【図３８】本発明の第３実施形態に係る手摺装置の平面図である。
【図３９】本発明の第３実施形態に係る手摺装置のカバーを取り外した状態を示す前方斜視図である。
【図４０】本発明の第３実施形態に係る手摺装置のカバーを取り外した状態を示す後方斜視図である。
【図４１】本発明の第３実施形態に係る支持フレームの平面断面図である。
【図４２】本発明の第３実施形態に係るカバーの前方斜視図である。
【発明を実施するための形態】
【００２５】
本発明は、腰掛式の大便器の近傍に設置される介助装置において、使用者（被介助者）がつかまる手摺本体部を支持する支持部を壁面に沿うように配置するとともに、支持部について外形的（外観的）な面で工夫を施したものである。これにより、本発明は、設置のための施工を容易とするとともに、手摺本体部につかまった状態の被介助者の移動をスムーズなものとし、例えば車椅子と便器との間における良好な移乗性を実現しようとするものである。以下、本発明の実施の形態について図面を参照して説明する。
【００２６】
［手摺装置の第１実施形態］
手摺装置の第１実施形態について説明する。図１から図３に示すように、本実施形態に係る介助装置としての手摺装置１は、腰掛式の大便器である洋風便器２の近傍に設置されて洋風便器２の使用者（被介助者）の介助に用いられるトイレ用の手摺装置である。手摺装置１は、例えば、車椅子と洋風便器２との間における被介助者の移乗の補助や、被介助者の洋風便器２の便座着座時における座位保持の補助等のために使用される。
【００２７】
図１から図３に示すように、洋風便器２は、トイレ（トイレットルーム）３内において、水平状の床面４ａをなす床４上に設置されている。トイレ３は、床４上においてトイレ空間を形成する鉛直状の後壁５および側壁６を有する。洋風便器２は、トイレ３内において、後壁５の近傍の（直前方の）位置に、前後方向をトイレ空間の前後方向（図２において左右方向）に沿わせるように設置されている。洋風便器２は、ボウル部を有する便器本体２ａと、所定の部位に回動可能に支持された便座２ｂおよび便蓋２ｃとを有する水洗大便器である。
【００２８】
手摺装置１は、洋風便器２の前方の位置にて、側壁６の鉛直状の壁面６ａに沿うように設置されている。本実施形態では、手摺装置１は、洋風便器２の左方（図２において上方）に位置する側壁６に対して設けられている。なお、トイレ３内における左右方向は、洋風便器２に着座した状態の使用者の左右方向に対応する。
【００２９】
以下、手摺装置１について説明する。なお、手摺装置１においては、トイレ３内における上下方向（鉛直方向）を上下方向とし、洋風便器２の前後方向に対応する方向（図２における左右方向）を左右方向とし、平面視で左右方向に直交する方向（図２における上下方向）を前後方向とする。
【００３０】
手摺装置１は、使用者がつかまる手摺本体部１１と、手摺本体部１１を支持する支持部１２とを備える。手摺本体部１１は、水平状に延びたアーム状の部分をなし、使用者を支持したり使用者によって把持されたりする部分となる。支持部１２は、床４上に立設されたポスト状の部分であり、洋風便器２の前方の位置において、手摺本体部１１を所定の高さ位置に支持する。本実施形態では、支持部１２は、洋風便器２の上面よりも高い位置に手摺本体部１１を支持している。
【００３１】
手摺装置１において、支持部１２は、洋風便器２を設置した部屋であるトイレ３の壁面に沿うように配置されている。本実施形態では、支持部１２は、その背面側（後面側）をトイレ３の側壁６の壁面６ａに近接させた状態で設けられている。
【００３２】
支持部１２は、トイレ３の床４に固定される支持フレーム１３と、支持フレーム１３を覆うカバー１４とを有する（図１１参照）。支持フレーム１３は、手摺装置１において手摺本体部１１を支持する躯体をなす支持構造部であり、トイレ３の壁面６ａに沿うように配置されている。カバー１４は、支持フレーム１３に支持された手摺本体部１１を突出させるとともに、支持フレーム１３の背面側および底面側（下面側）を除いた部分の略全体を覆っている。
【００３３】
以下、手摺装置１の各部について詳細に説明する。なお、以下の説明では、図１から図９に示すように、手摺装置１が平面視で手摺本体部１１を壁面６ａに対して垂直方向に沿わせた状態を基準状態として説明する。
【００３４】
［手摺本体部の構成例］
手摺本体部１１について説明する。手摺本体部１１は、水平状に延びたアーム状の部分である支持アーム部２１と、支持アーム部２１を回動可能に支持する回動支持部２２とを有する。支持アーム部２１は、支持部１２に対して水平方向に回動可能に設けられた部分である。回動支持部２２は、上下方向に沿う所定の回動軸３０を中心に所定の回動範囲で支持アーム部２１を水平方向に回動可能に支持する（図２参照）。
【００３５】
支持アーム部２１は、アーム本体部２３と、ボード部２４とを有する。アーム本体部２３は、略四角柱状に沿う外形を有する部分であって水平方向に延伸したアーム部２５と、アーム部２５の一端側に設けられ略円筒状の外形を有する部分である基端支持部２６とを有する。アーム部２５は、略四角柱状に沿う外形における４つの側面を上下左右に向けている。基端支持部２６は、アーム部２５と一体的に構成された部分であり、回動支持部２２により支持される部分となる。アーム本体部２３は、アーム部２５および基端支持部２６の各部の外形をなすカバー部としてアームカバー部２７および基部カバー部２８を有する。
【００３６】
ボード部２４は、平面視で細長い略半月状の形状を有する板状の部分であり、アーム部２５の上側に設けられている。ボード部２４は、その平面視形状において、略半月形状の外側の湾曲側を、トイレ３における前側となる右側に向けている。ボード部２４は、アーム部２５よりも幅広の部分であり、アーム部２５に対して左右両側および前側に張り出すように設けられている。ボード部２４は、後側については、基端支持部２６よりも前側の位置までの範囲で設けられており、アーム部２５は、その基端側の部分の上面部２５ａを露出させている。基準状態の手摺装置１において、ボード部２４は、トイレ３内で洋風便器２に対して略左右対称となるように設けられている（図２参照）。
【００３７】
ボード部２４は、その表面をなす大部分を樹脂製の部材により構成している。ボード部２４は、使用者を支持する支持面をなす部分であって、使用者によって把持される部分となる。このため、ボード部２４の周縁部は丸め形状となっている。また、洋風便器２に着座した使用者にとって手前側となるボード部２４の左側の縁部は、平面視でなだらかに湾曲した凹形状をなしている。手摺本体部１１は、ボード部２４を除き、全体として略左右対称に構成されている。
【００３８】
回動支持部２２は、上下方向に所定の間隔を隔てた水平状の板状の部分である一対の支持面部２９（２９Ａ，２９Ｂ）を有する（図１３参照）。支持面部２９は、平面視で前側を湾曲側とした略半円形状ないし略半楕円形状を有する。回動支持部２２は、上下の支持面部２９間に基端支持部２６を介装した状態で、回動軸３０により、支持アーム部２１を水平方向に回動可能に支持する。回動軸３０は、上下方向を軸方向とし、回動支持部２２の中央部の位置にて、上下の支持面部２９を貫通するように設けられている。
【００３９】
支持アーム部２１は、上下の支持面部２９間に架設支持された回動軸３０により、回動支持部２２に対して回動可能に支持されている。手摺本体部１１は、支持アーム部２１の回動動作について、回動のロックおよびその解除を行うためのロック機構を有する。
【００４０】
ロック機構は、アーム本体部２３のアーム部２５においてボード部２４の後側の部分の上側に設けられた操作部４０の操作により動作する。ロック機構は、回動支持部２２に対する回動部分となる支持アーム部２１側に設けられた係合移動体と、回動支持部２２側に設けられ係合移動体の係合を受ける被係合部とを有する。係合移動体は、コイルバネ等の弾性部材の付勢力により、被係合部側である後方に向けて付勢されている。被係合部は、係合移動体の係合を受ける被係合部分を、支持アーム部２１の回動方向について所定の間隔をあけて複数箇所に配設している。
【００４１】
操作部４０は、ロック機構を構成する係合移動体を前後方向に移動させるための部分であり、係合移動体と一体的に前後方向に移動するように構成されている。操作部４０は、係合移動体から上方に向けて垂直状に延設されその大部分をアーム部２５の上面部２５ａから上方に突出させた操作軸と、操作軸を覆う操作移動体５２とを有する。
【００４２】
操作移動体５２は、操作軸の上面部２５ａからの突出部分を覆う軸被覆部５２ａと、平面視で矩形状に形成された板状のスライド板部５２ｂとを有する。操作移動体５２は、軸被覆部５２ａに対して下方から操作軸を挿入させた状態で、操作軸に固定されている。
【００４３】
軸被覆部５２ａは、略四角柱状の外形を有し、操作軸を内挿させてスライド板部５２ｂから上方に向けて突出し、操作部４０の把持部４０ａを構成している。スライド板部５２ｂは、アーム部２５の上面部２５ａの左右幅の範囲内で上面部２５ａを上側から覆うように設けられており、操作部４０の操作にともない、上面部２５ａ上をスライドする態様で前後方向に移動する。スライド板部５２ｂにおける軸被覆部５２ａの前側には、操作部４０の操作方向を示す矢印表示５２ｃが表されている。
【００４４】
以上のような構成においては、操作移動体５２および操作軸、ならびにロック機構を構成する係合移動体を含む構成が、把持部４０ａの前後方向の移動操作によって一体的に前後方向に移動する部分となる。この一体的な移動部分は、係合移動体を付勢する弾性部材により後向きの付勢力を受けている。
【００４５】
以上のように構成された操作部４０による手摺本体部１１の操作について説明する。操作部４０を操作していない状態においては、ロック機構の弾性部材の付勢力によって係合移動体が被係合部に係合し、支持アーム部２１の回動がロックされた状態となる。一方、弾性部材の付勢力に抗して操作部４０の把持部４０ａを前方に移動操作することで（図７、矢印Ａ１参照）、係合移動体と被係合部の係合が解除され、支持アーム部２１の回動のロックが解除された状態となる。これにより、支持アーム部２１が回動可能な状態となる。
【００４６】
支持アーム部２１を適宜回動させた後、把持部４０ａを操作状態から解放することで、弾性部材の付勢力によって把持部４０ａとともに係合移動体が後方に移動し（図７、矢印Ａ２参照）、係合移動体が被係合部に係合し、自動的にロック状態となる。このように、手摺本体部１１は、係合移動体を係合させる被係合部における複数の被係合部分の配設態様に応じて、段階的に複数箇所で支持アーム部２１の回動をロックするように構成されている。
【００４７】
また、支持アーム部２１の回動動作については、回動支持部２２に設けられた係止部分等のストッパによって回動範囲が制限されている。支持アーム部２１の回動範囲は、例えば、基準状態での位置から右側に所定の角度θ１（＜９０°）回動した位置までの範囲に制限される（図２参照）。角度θ１は、例えば７０〜８０°程度の大きさである。
【００４８】
以上のような支持アーム部２１の回動範囲は、図１等に示すように手摺装置１が洋風便器２の左方の側壁６に対して設けられる場合の仕様である。手摺装置１が洋風便器２の右方の側壁に対して設けられる場合、支持アーム部２１の回動範囲は、左方の側壁６に対して設けられる場合と左右対称的に設定される。
【００４９】
また、回動支持部２２は、上下の支持面部２９を前方に突出させた背面板部５７を有する。背面板部５７は、前後方向を板厚方向とする鉛直状の略矩形板状の部分であり、上下の支持面部２９を支持している。背面板部５７は、左右方向については支持面部２９の左右方向の寸法と略同じ寸法を有する。背面板部５７は、上下方向については、上側の支持面部２９Ａよりも上側に延出した上側延出部５７ａと、下側の支持面部２９Ｂよりも下側に延出した下側延出部５７ｂとを有する。
【００５０】
このような背面板部５７に対し、上下の支持面部２９は、それぞれ支持面部２９に対して上下外側に屈曲形成された固定面部２９Ｘを介して固定支持されている。支持面部２９および固定面部２９Ｘは、側面視で略「Ｌ」字状をなす屈曲板状の部材により形成されており、固定面部２９Ｘが背面板部５７の前面５７ｃに溶接等によって固定されることで、支持面部２９が設けられている。
【００５１】
背面板部５７の上側延出部５７ａおよび下側延出部５７ｂにおいては、左右両側に２箇所ずつ、手摺本体部１１を支持フレーム１３に固定するための固定部を構成する被螺挿部５８が設けられている。被螺挿部５８は、背面板部５７の後方から螺挿されるボルト等の締結具の螺挿を受けるナット状の部分である。
【００５２】
また、回動支持部２２においては、上下の化粧カバー５９（５９Ａ，５９Ｂ）が設けられている。化粧カバー５９は、主に支持面部２９を被覆する横カバー部５９ａと、主に背面板部５７の上側延出部５７ａまたは下側延出部５７ｂを被覆する縦カバー部５９ｂとを有する。化粧カバー５９は、平面視で支持面部２９の外形に沿って略半楕円形状を有するとともに、側面視で略「Ｌ」字状をなすように構成されている。
【００５３】
上側の化粧カバー５９Ａは、横カバー部５９ａによって上側の支持面部２９Ａを上側かつ側方側から覆うとともに、縦カバー部５９ｂによって背面板部５７の上側延出部５７ａを前側、上側および左右の側方側から覆っている。下側の化粧カバー５９Ｂは、横カバー部５９ａによって下側の支持面部２９Ｂを下側かつ側方側から覆うとともに、縦カバー部５９ｂによって背面板部５７の下側延出部５７ｂを前側、下側および左右の側方側から覆っている。化粧カバー５９は、樹脂製の部材であり、内周面に形成された係合部５９ｃ（図１３参照）等によって回動支持部２２の本体側に固定されている。
【００５４】
［支持部の構成例］
支持部１２について説明する。支持部１２は、手摺本体部１１を支持する支持フレーム１３と、これを被覆するカバー１４とを有する（図１１参照）。支持部１２は、全体として、平面視で左右対称な略五角形状を有する角柱状（五角柱状）の外形をなすように構成されている。支持部１２の平面視形状である略五角形状は、平面視において、主に、左右方向に沿う背面側の辺部、前後方向に沿う左右両側の辺部、および前後方向に対して略４５°傾斜した辺部であって前側の角部をなす左右の傾斜辺部によって形成されている。支持部１２の五角柱状の外形は、カバー１４が沿う形状となっている。
【００５５】
（支持フレームの構成例）
支持フレーム１３の構成について説明する。支持フレーム１３は、支持部１２の平面視形状に沿う略五角形状の平板状の部分であるベース板部６０を有する。ベース板部６０は、略五角形状をなす辺部として、左右方向に沿う背面側の後辺部６０ａと、前後方向に沿う左右両側の左側辺部６０ｂおよび右側辺部６０ｃと、前後方向に対して略４５°傾斜した辺部であって前側の鋭角状の角部（頂部）をなす左傾斜辺部６０ｄおよび右傾斜辺部６０ｅとを有する（図１０参照）。ベース板部６０の前側の角部は、平面視で湾曲線に沿う丸め形状を有する。ベース板部６０の後側において、左側辺部６０ｂと後辺部６０ａ、右側辺部６０ｃと後辺部６０ａ、それぞれの辺部同士により直角状の角部が形成されている。ベース板部６０は、支持部１２の底面部を形成している。
【００５６】
図１４から図１６に示すように、ベース板部６０上には、前側支柱６１、および左右の後側支柱６２，６３の３本の支柱が立設されている。これらの支柱は、いずれも正方形状の横断面形状をなす四角柱形状を有し、角形鋼管が溶接等によってベース板部６０に固定されること等によって設けられている。
【００５７】
前側支柱６１は、ベース板部６０上において、左傾斜辺部６０ｄと右傾斜辺部６０ｅとによる前側の角部に位置しており、同角部の形状に対応して、横断面（平面断面）形状である正方形状における対角線を前後方向および左右方向に沿わせるように設けられている。左側の後側支柱６２は、ベース板部６０上において、後辺部６０ａと左側辺部６０ｂとによる角部に位置しており、同角部の形状に対応して、横断面形状である正方形状における各辺部を前後方向および左右方向に沿わせるように設けられている。右側の後側支柱６３は、ベース板部６０上において、後辺部６０ａと右側辺部６０ｃとによる角部に位置しており、左側の後側支柱６２と左右対称に設けられている。
【００５８】
左右の後側支柱６２，６３は、支持フレーム１３の高さ方向の略全体にわたる高さを有する。これに対し、前側支柱６１は、左右の後側支柱６２，６３よりも低い高さを有する。本実施形態では、前側支柱６１の高さは、後側支柱６２，６３の高さの略２／３となっている。
【００５９】
支持フレーム１３において、前側支柱６１よりも上側には、平面視で重なるように互いに略同じ形状・寸法を有する中間面部６５および天面部６６が互いに平行に設けられている。中間面部６５および天面部６６は、それぞれ二等辺三角形状を有する板状の部分であり、頂点側を前側、底辺側を後側として水平状に設けられている。また、中間面部６５および天面部６６は、ベース板部６０の前側の部分と略同じ形状・寸法を有し、平面視でベース板部６０に重なるように設けられている。
【００６０】
中間面部６５は、前側支柱６１の上端面（上側の開口端面）およびこれと面一状をなす左右の横支持フレーム部６７，６７の上面に下側から支持された状態で設けられている。横支持フレーム部６７は、矩形状の横断面形状をなす角形鋼管等の四角柱形状の部材により構成されている。左右の横支持フレーム部６７，６７は、前側支柱６１の上端部の高さ位置において、前側支柱６１と左右の後側支柱６２，６３それぞれとの間に、水平状かつ中間面部６５の傾斜辺部に沿って傾斜状に、中間面部６５の外形の範囲内に設けられている。
【００６１】
左側の横支持フレーム部６７は、前側支柱６１の左後側の傾斜面部６１ａと、左側の後側支柱６２の前面部６２ａとの間に架設されており、右側の横支持フレーム部６７は、前側支柱６１の右後側の傾斜面部６１ｂと、右側の後側支柱６３の前面部６３ａとの間に架設されている。横支持フレーム部６７，６７は、前側支柱６１、左右の後側支柱６２，６３、および中間面部６５それぞれに対して溶接等によって固定されている。
【００６２】
中間面部６５および天面部６６は、後側の辺部の左右端部を、左右の後側支柱６２，６３の前面に沿わせるとともに、左右の後側支柱６２，６３の左右外側の側面部間の範囲内に位置させるように設けられている。天面部６６は、中間面部６５の上方において前方に庇状に突出している。
【００６３】
中間面部６５および天面部６６の後縁部間には、前後方向を板厚方向とする鉛直板状の支持背面部６８が設けられている。支持背面部６８は、左右方向については中間面部６５および天面部６６と略同じ範囲で設けられている。また、支持背面部６８の左右両端の前側には、鉛直板状の傾斜側面部６９が設けられている。傾斜側面部６９は、支持背面部６８と同様の高さ範囲で中間面部６５と天面部６６との間に設けられている。傾斜側面部６９は、支持背面部６８の左右両端の位置から、中間面部６５および天面部６６の斜辺部に沿って、同斜辺部の略中央部までの範囲で設けられている。
【００６４】
以上のような構成によれば、中間面部６５と、天面部６６と、左右の傾斜側面部６９とにより、正面視で縦長の長方形状の開口をなす空間部が形成されている。この空間部は、手摺本体部１１の回動支持部２２の後部が収納される部分となる。なお、傾斜側面部６９の前側の下端部には、傾斜側面部６９の前側の端面から中間面部６５の上面にかけて前下がりの傾斜面をなす三角形状の突出部６９ａが設けられている。
【００６５】
本実施形態では、中間面部６５、天面部６６、支持背面部６８、および左右の傾斜側面部６９は、１枚の鋼板を屈曲成形することによって形成されている。すなわち、支持背面部６８と中間面部６５および天面部６６のそれぞれとは、側面断面視で直角状の角部（屈曲部）を形成している（図１８、図２４参照）。また、支持背面部６８と左右の傾斜側面部６９のそれぞれとは、平面断面視で鋭角状の（略４５°の）角部（屈曲部）を形成している（図１９参照）。ただし、中間面部６５、天面部６６、支持背面部６８、および左右の傾斜側面部６９は、各部をなす別体の板状部材同士を溶接やボルト固定等によって固定した構造であってもよい。
【００６６】
中間面部６５、天面部６６、支持背面部６８、および左右の傾斜側面部６９をなす一体の屈曲板状部材は、左右の後側支柱６２，６３に対して、ボルト７１によって４箇所で固定されている。ボルト７１は、左右の後側支柱６２，６３を後側から貫通して支持背面部６８に螺挿されている。ボルト７１による固定部は、支持背面部６８の四隅に対応する部分に設けられている。
【００６７】
また、支持背面部６８の後側には、上下２本の横フレーム部７２，７２が設けられている。横フレーム部７２は、矩形状の横断面形状をなす角形鋼管等の四角柱形状の部材により構成されている。上下の横フレーム部７２，７２は、それぞれ支持背面部６８の上下端部に対応する高さ位置において、左右の後側支柱６２，６３間に架設されている。横フレーム部７２は、左右の後側支柱６２，６３に対して溶接等によって固定されている。
【００６８】
また、左右の横支持フレーム部６７，６７の下方には、傾斜フレーム部７３，７３が設けられている。傾斜フレーム部７３は、矩形状の横断面形状をなす角形鋼管等の四角柱形状の部材により構成されている。左右の傾斜フレーム部７３，７３は、前側支柱６１と左右の後側支柱６２，６３それぞれとの間に、前側支柱６１の上下中央部から左右の後側支柱６２，６３の上端部にかけて正面視、側面視、および平面視で傾斜状をなすように設けられている。
【００６９】
左側の傾斜フレーム部７３は、前側支柱６１の左後側の傾斜面部６１ａと、左側の後側支柱６２の前面部６２ａとの間に架設されており、右側の傾斜フレーム部７３は、前側支柱６１の右後側の傾斜面部６１ｂと、右側の後側支柱６３の前面部６３ａとの間に架設されている。傾斜フレーム部７３，７３は、前側支柱６１および左右の後側支柱６２，６３それぞれに対して溶接等によって固定されている。
【００７０】
以上のような構成を備えた支持フレーム１３は、ベース板部６０を貫通するアンカーボルト７５によって床４に固定されている。つまり、支持部１２は、支持フレーム１３がアンカーボルト７５によって床４に固定されることで、床面４ａ上に設置されている。床４は、例えばコンクリート等の比較的堅固な構造を有し、支持部１２の支持強度が確保される。アンカーボルト７５は、ベース板部６０との間に矩形状の座金７６を介在させている。座金７６は、ベース板部６０に形成された矩形状の孔部６０ｆを上側から塞ぐようにベース板部６０上に載っている。
【００７１】
本実施形態では、アンカーボルト７５による固定部は、前側支柱６１の左右の斜め後方の位置と、左右の後側支柱６２，６３の左右内側の位置との計４箇所に設けられている。なお、アンカーボルト７５の本数や配置等、床４に対する支持フレーム１３の固定構造は、本実施形態に限定されるものではなく、支持フレーム１３を床４に対して必要な支持強度で固定することができるものであればよい。
【００７２】
以上のような構成を備えた支持フレーム１３に対し、手摺本体部１１が支持されている。手摺本体部１１は、回動支持部２２の背面板部５７を、支持フレーム１３の支持背面部６８に前側から合わせた状態で、固定ボルト７７によって支持フレーム１３に固定されている。固定ボルト７７は、後側から横フレーム部７２、支持背面部６８、および背面板部５７を貫通し、背面板部５７の前側に設けられた被螺挿部５８に螺挿されている。
【００７３】
本実施形態では、固定ボルト７７による固定部は、上下の横フレーム部７２の左右両側に２箇所ずつ、計４箇所に設けられている。なお、固定ボルト７７の本数や配置等、支持フレーム１３に対する手摺本体部１１の固定構造は、本実施形態に限定されるものではなく、手摺本体部１１を支持フレーム１３に対して必要な支持強度で固定することができるものであればよい。
【００７４】
（カバーの構成例）
カバー１４の構成について説明する。カバー１４は、支持部１２の五角柱状の外形に沿った形状をなす複数の面部を有するとともに、背面側および底面側を開放させている。カバー１４は、その外形をなす複数の面部として、上面部８１、左側面部８２、右側面部８３、左傾斜面部８４、および右傾斜面部８５を有する。
【００７５】
上面部８１は、支持フレーム１３のベース板部６０と略同じ形状・寸法の外形を有する略五角形状の水平状の面部であり、平面視でベース板部６０に重なるように設けられている。左側面部８２および右側面部８３は、それぞれ左右方向を板厚方向とする鉛直状の面部であり、平面視でベース板部６０の左側辺部６０ｂおよび右側辺部６０ｃに沿うように設けられている。
【００７６】
左傾斜面部８４および右傾斜面部８５は、それぞれ平面視で前後方向に対して略４５°傾斜した方向を板厚方向とする鉛直状の面部であり、平面視でベース板部６０の左傾斜辺部６０ｄおよび右傾斜辺部６０ｅに沿うように設けられている。左傾斜面部８４および右傾斜面部８５は、ベース板部６０の前側の角部の形状に沿うように、カバー１４の前側において、平面断面視で前側を凸側とした半円状をなす湾曲面部８７（図２０参照）により、上下方向に沿う稜線部８６を形成している。
【００７７】
カバー１４においては、左右方向に沿う上面部８１の後縁部と、上下方向に沿う左側面部８２および右側面部８３それぞれの後縁部とにより、縦長矩形状に沿う背面側の開口が形成されている。また、カバー１４においては、前後方向に沿う左側面部８２および右側面部８３それぞれの下縁部と、傾斜状の左傾斜面部８４および右傾斜面部８５それぞれの下縁部とにより、五角形状に沿う底面側の開口が形成されている。
【００７８】
カバー１４の下端縁部は、支持フレーム１３のベース板部６０の外形に沿って後辺部６０ａ以外の辺部を囲むように、ベース板部６０の外側に位置している。つまり、カバー１４は、その下端縁を、床面４ａに接触ないし略接触させるように構成されている。
【００７９】
カバー１４の床面４ａに対する接地部となる下端縁部には、床面４ａに対する不陸調整およびカバー１４内に対する防水のため、ゴム等の弾性材料により形成されたパッキン８８が設けられている。パッキン８８は、細長い略「Ｕ」字状の横断面形状をなす凹溝状の部材であり、例えばＵ型ゴムパッキンである。パッキン８８は、その溝内に、カバー１４の略全体をなす本体部材の下端縁部を嵌入させた態様で、カバー１４の本体部材に取り付けられている。カバー１４の本体部材は、金属製あるいは樹脂製で、数ミリメートル程度の厚さを有する屈曲板状の部材である。
【００８０】
パッキン８８は、カバー１４の左側面部８２、左傾斜面部８４、右側面部８３、および右傾斜面部８５の各面部に対応した部分を有する連続した一体の部材である。ただし、パッキン８８は、例えばカバー１４の各面部の下端縁部に対して別体の部材で設けられてもよい。また、パッキン８８は、カバー１４の左傾斜面部８４および右傾斜面部８５の下端部において、カバー１４の本体部材と、ベース板部６０の左傾斜辺部６０ｄおよび右傾斜辺部６０ｅとの間を密閉している（図１０参照）。なお、パッキン８８とカバー１４は、側壁６の下端に幅木が設けられている場合に幅木の寸法に応じて寸法が調整可能となるように構成されてもよい。
【００８１】
カバー１４においては、左傾斜面部８４および右傾斜面部８５からなる前側の面部の上部に、手摺本体部１１を貫通させる開口窓８９が形成されている。開口窓８９は、支持フレーム１３に対する手摺本体部１１の支持位置に対応した部位に形成されており、正面視で横長矩形状の開口を形成している。開口窓８９は、上下方向については、上下の化粧カバー５９の横カバー部５９ａが入る程度の寸法を有し、左右方向については、回動支持部２２の左右方向の寸法と略同じ寸法を有する。
【００８２】
手摺本体部１１は、回動支持部２２の一部および支持アーム部２１の略全体を、開口窓８９からカバー１４の外側に露出させている。回動支持部２２については、上下の化粧カバー５９の横カバー部５９ａの周縁部、および基部カバー部２８の外周面部の大部分が、開口窓８９からカバー１４の外側に露出しており、これらの部分よりも後側かつ左右内側の部分は、カバー１４内に位置している。
【００８３】
以上のような構成を備えたカバー１４は、支持フレーム１３に固定されている。支持フレーム１３に対するカバー１４の固定構造について説明する。カバー１４は、上面部８１ならびに左側面部８２および右側面部８３において、支持フレーム１３に固定されている。
【００８４】
上面部８１は、カバー固定ボルト９１により、支持フレーム１３の天面部６６に固定されている。カバー固定ボルト９１は、上面部８１に形成された孔部８１ａを貫通するとともに、天面部６６に形成されたネジ孔６６ａ（図１７参照）に螺挿されている。本実施形態では、カバー固定ボルト９１による固定部は、上面部８１の前側の頂部近傍の位置と、後側の左右両側の位置との計３箇所に設けられている。
【００８５】
左側面部８２および右側面部８３は、固定用金具であるアングル部材９２を介して、それぞれ対応する後側支柱６２，６３に固定されている。左側の後側支柱６２に対する左側面部８２の固定構造と、右側の後側支柱６３に対する右側面部８３の固定構造とは左右対称であるため、主に右側の固定構造について説明し、対応する構成については同一の符号を付す。
【００８６】
アングル部材９２は、所定の屈曲形状を有する幅狭の矩形板状の部材であり、上下方向を幅方向として設けられ、平面視で概略的に略「Ｌ」字状の形状をなす。アングル部材９２は、図１９に示すように、略「Ｌ」字状の平面視形状をなす部分として、長辺部９２ａおよび短辺部９２ｂとを有し、長辺部９２ａを後側支柱６３の後面部６３ｂ（後側支柱６２の後面部６２ｂ）の後側に位置させ、短辺部９２ｂを後側支柱６３の左右外側の側面部６３ｃ（後側支柱６２の側面部６２ｃ）の左右外側に位置させている。詳細には次のとおりである。
【００８７】
図２６および図２７に示すように、長辺部９２ａは、平面視で略「Ｚ」状をなす変形クランク状の屈曲形状を有する。長辺部９２ａは、略「Ｚ」状の平面視形状をなす部分として、左右方向内側から順に、左右方向に沿う後側平面部９２ｃ、後側平面部９２ｃの左右外側の端部から前側に傾斜状に形成された傾斜面部９２ｄ、および傾斜面部９２ｄの前側の端部から左右方向に沿って左右方向外側に向かう前側平面部９２ｅを有する。
【００８８】
短辺部９２ｂは、平面視でクランク状の屈曲形状を有する。短辺部９２ｂは、平面視でクランク状をなす部分として、後側から順に、前後方向に沿う後側縦面部９２ｆ、後側縦面部９２ｆの前側の端部から左右外側に直角状に屈曲形成された横面部９２ｇ、および横面部９２ｇの左右外側の端部から前側に直角状に屈曲形成された前側縦面部９２ｈを有する。
【００８９】
長辺部９２ａの前側平面部９２ｅと、短辺部９２ｂの後側縦面部９２ｆとにより、アングル部材９２における略「Ｌ」字状における直角状の角部が形成されている。アングル部材９２は、この直角状の角部を後側支柱６３の後側かつ左右外側の角部の外側に沿わせ、ボルト９３によって後側支柱６３に固定されている。ボルト９３は、前側平面部９２ｅを貫通するとともに後側支柱６３の後面部６３ｂに形成されたネジ孔６３ｄに螺挿されている。本実施形態では、後側支柱６３に対するボルト９３によるアングル部材９２の固定部は、左右２箇所に設けられている。
【００９０】
そして、アングル部材９２の前側縦面部９２ｈに、カバー固定ボルト９４により、カバー１４の右側面部８３が固定されている。カバー固定ボルト９４は、カバー１４の右側面部８３に形成された孔部８３ａを貫通するとともに、前側縦面部９２ｈに形成されたネジ孔９２ｊに螺挿されている。なお、支持部１２の左側においても同様に、左側の後側支柱６２に対し、ボルト９３によってアングル部材９２が固定され、前側縦面部９２ｈに対し、カバー固定ボルト９４によってカバー１４の左側面部８２が固定されている。
【００９１】
以上のようにアングル部材９２を介した支持フレーム１３に対するカバー１４の固定部は、左右の後側支柱６２，６３の上端部、上下中間部、および下部の３箇所ずつ、計６箇所に設けられている。ただし、アングル部材９２を用いた固定部の配設位置や数は特に限定されるものではない。
【００９２】
また、アングル部材９２は、トイレ３の側壁６に対する支持フレーム１３の支持に用いられてもよい。具体的には、図２６に示すように、アングル部材９２の後側平面部９２ｃが、壁固定ボルト９５等により、側壁６に固定されている。壁固定ボルト９５は、後側平面部９２ｃに形成された孔部９２ｋを貫通し、側壁６にねじ込まれている。壁固定ボルト９５は、例えば、側壁６をなすボードに対するボードアンカーである。このように、支持フレーム１３は、アングル部材９２を介して壁固定ボルト９５によって側壁６に対して６箇所で固定支持されている。また、アングル部材９２は、緩衝材としても機能する。例えば、左右の後側支柱６２，６３が撓んだ場合において、アングル部材９２は、平面視で略「Ｚ」状をなす長辺部９２ａをバネとして機能させ、後側支柱６２，６３の撓みを吸収する。
【００９３】
また、支持フレーム１３とカバー１４との間において、前側支柱６１とカバー１４の稜線部８６との間には、金具である当て部材９６が設けられている。当て部材９６は、平面視で所定の形状をなす矩形板状の部材であり、左右の中間部を前側に凸の湾曲面部９６ａとし、左右両側の端部を平面状の固定面部９６ｂとしている。湾曲面部９６ａは、平面視で略９０°の角度範囲の円弧状をなす曲面部であり、左右の固定面部９６ｂに対してこれと直角状をなす段差面部９６ｃを介して前側に膨出状に突出形成されている。
【００９４】
当て部材９６は、図２０に示すように、左右の固定面部９６ｂを、それぞれ前側支柱６１の左右の前側の傾斜面部６１ｃ，６１ｄに前側から沿わせ、ボルト９７によって固定されている。ボルト９７は、固定面部９６ｂに形成された孔部を貫通するとともに、傾斜面部６１ｃ，６１ｄに形成されたネジ孔６１ｅに螺挿されている。当て部材９６は、平面視において、湾曲面部９６ａにより、左右の前側の傾斜面部６１ｃ，６１ｄそれぞれの前側の略半分の範囲で前側支柱６１を覆っている。
【００９５】
このように前側支柱６１の前側に固定された当て部材９６は、湾曲面部９６ａの前側面９６ｄを、カバー１４の稜線部８６をなす湾曲面部８７の内周面８７ａに接触させている。当て部材９６は、前側支柱６１の上端部、上下中間部、および下部の３箇所に設けられている。ただし、当て部材９６の配設位置や数は特に限定されるものではない。
【００９６】
以上のような構成を備えた手摺装置１の使用態様の例について、図２３を用いて説明する。図２３Ａおよび図２３Ｂに示すように、手摺装置１は、車椅子１００を使用する被介助者である使用者１０１が、車椅子１００から洋風便器２に移乗するときに用いられる。
【００９７】
図２３Ａに示すように、使用者１０１が車椅子１００から洋風便器２に移乗する際は、洋風便器２と手摺本体部１１との間に車椅子１００が進入するためのスペースを確保するため、手摺本体部１１の支持アーム部２１は、前側（側壁６側）寄りの回動位置に位置している。車椅子１００に乗っている使用者１０１は、洋風便器２の前に車椅子１００を寄せ、支持アーム部２１のボード部２４につかまる。使用者１０１は、ボード部２４につかまりながら前傾姿勢となり、車椅子１００から立ち上がる。
【００９８】
図２３Ｂに示すように、車椅子１００から立ち上がった使用者１０１、または介助者は、操作部４０の把持部４０ａの操作によってロック機構のロックを解除することで、支持アーム部２１を回動可能な状態とし、支持アーム部２１の回動動作をともなって（矢印Ｃ１参照）、ボード部２４を持ちながら後方に移動し、洋風便器２の便座２ｂに着座する。使用者１０１、または介助者が把持部４０ａから手を離すことで、支持アーム部２１の回動動作はロック機構によって自動的にロックされる。車椅子１００から洋風便器２への移乗において、使用者１０１は、介助者のサポートを適宜受けながら、立上り動作や座り動作、脱衣の動作等を行う。なお、洋風便器２から車椅子１００への移乗は、車椅子１００から洋風便器２への移乗と概ね逆の手順により、手摺装置１が用いられて行われる。
【００９９】
また、図２３Ｃに示すように、手摺装置１は、便座着座時の座位保持の補助のために使用される。使用者１０１が洋風便器２に着座している状態において、手摺装置１は、支持アーム部２１を壁面６ａに対して垂直方向に沿わせた基準状態となり、使用者１０１の座位を保持する。すなわち、洋風便器２に着座している使用者１０１がボード部２４を持つことで、使用者１０１の座位位置が保持される。ここで、使用者１０１は、ボード部２４を持つことで前傾姿勢をとることができ、これによって使用者１０１の排便が促される。なお、手摺装置１は、車椅子の使用者に限らず、例えば歩行器の使用者や杖の使用者の場合にも適宜利用される。
【０１００】
以上のように、本実施形態の手摺装置１において、手摺本体部１１は、使用者１０１の荷重が作用する部分となり、かかる部分を支持する支持部１２を構成する支持フレーム１３が、アンカーボルト７５によって床４に固定されて床面４ａ上に設置されている。これにより、手摺装置１は、床４で荷重を受ける構成を備えている。また、手摺装置１は、車椅子１００と洋風便器２との間の移乗や使用者１０１の便座着座時の座位保持を行うために、洋風便器２に対してある程度近い位置に設置される必要がある一方で、手摺本体部１１を支持する支持部１２が使用者１０１の移乗等の妨げにならないように、支持部１２と洋風便器２との間に使用者１０１の移乗等のためのスペースを確保する必要がある。このため、手摺装置１は、支持部１２をトイレ３の壁面６ａに沿わせるように配置されている。
【０１０１】
このように支持部１２を壁面６ａに沿わせるように配置した構成においては、手摺本体部１１に使用者１０１の体重等の荷重が作用することで、支持フレーム１３に撓みが生じる。支持フレーム１３が撓むことにより、支持部１２と壁面６ａとの間に隙間が生じることになる。この隙間は、使用者１０１や介助者の衣服等を挟んだり、カバー１４内に水や埃を入り込ませたりする原因となり得る。
【０１０２】
そこで、本実施形態の手摺装置１において、支持部１２には、手摺本体部１１に作用する荷重によって支持フレーム１３が撓むことで壁面６ａとカバー１４との間に隙間が生じることを防止する隙間発生防止手段が設けられている。すなわち、手摺装置１において、例えば、使用者１０１がボード部２４につかまることで、手摺本体部１１に下向きの荷重が作用する（図７、矢印Ｄ１参照）。これにより、手摺本体部１１を支持するとともに床４に固定された支持フレーム１３は、壁面６ａから離れる向きに撓むことになり、これにともない、支持フレーム１３に固定されたカバー１４も、壁面６ａから離れる方向に移動する（傾く）ことになる（図７、矢印Ｄ２参照）。本実施形態に係る隙間発生防止手段は、カバー１４が壁面６ａから離れた場合に、カバー１４と壁面６ａとの間に隙間が発生することを防止するための構成である。
【０１０３】
本実施形態に係る隙間発生防止手段は、カバー１４に取り付けられるとともに側壁６の壁面６ａに固定される係合部材としての係合フレーム部材１１０を有する。係合フレーム部材１１０は、トイレ３の壁である側壁６に設けられ、カバー１４の壁側の縁部である後縁部に係合するとともに、支持フレーム１３の撓みにともなうカバー１４の移動を許容する。
【０１０４】
係合フレーム部材１１０は、カバー１４の後側の開放部をなす上面部８１、左側面部８２および右側面部８３の後縁部に沿うように設けられている。すなわち、係合フレーム部材１１０は、上面部８１の後縁部に沿う横フレーム部１１１と、左側面部８２の後縁部に沿う左側の縦フレーム部１１２と、右側面部８３の後縁部に沿う右側の縦フレーム部１１３とを有し、全体として下側を開放側とした略「コ」字状の枠形状を有する。
【０１０５】
横フレーム部１１１について、図２４および図２５を用いて説明する。横フレーム部１１１は、略「Ｌ」状の横断面形状をなす直線状の部材により構成されており、カバー１４の上面部８１の後縁部８１ｂの左右方向の寸法と略同じ長さを有する。横フレーム部１１１は、略「Ｌ」状の横断面形状をなす部分として、カバー１４の上面部８１の後縁部８１ｂを受け入れる水平面状の横係合面部１２１と、横係合面部１２１の後端部から下方に向けて形成された鉛直面状の横固定面部１２２とを有する。
【０１０６】
横係合面部１２１は、互いに平行な上下一対の水平面部１２１ａ，１２１ｂを有する。横係合面部１２１は、上下の水平面部１２１ａ，１２１ｂと、横固定面部１２２の上部とにより、前側を開放側として正面視で左右方向に延びたスリット状の開口をなす横方向溝部１２４を形成している。
【０１０７】
横係合面部１２１は、横方向溝部１２４内に、カバー１４の上面部８１の後縁部８１ｂを差し込ませている。横方向溝部１２４の上下方向の寸法、つまり上下の水平面部１２１ａ，１２１ｂ間の間隔は、上面部８１の板厚と略同一あるいは同板厚よりも大きく、上面部８１と横フレーム部１１１との前後方向の相対的なスライド移動が可能となっている。なお、横方向溝部１２４を形成する下側の水平面部１２１ｂは、横係合面部１２１において左右両端部を除いた中間部分に設けられている（図２２参照）。
【０１０８】
このように、横フレーム部１１１は、横係合面部１２１の横方向溝部１２４内にカバー１４の上面部８１の後縁部８１ｂを差し込ませた状態で、上面部８１に対して前後方向にスライド状に相対移動可能に設けられている。
【０１０９】
本実施形態では、横係合面部１２１は、上面部８１のうち、前後方向に沿う左右縁部をなす後部の矩形状の領域部分の後側の略１／４の部分を、後縁部８１ｂとして横方向溝部１２４内に位置させている。手摺本体部１１に作用する荷重等によって支持フレーム１３が撓んでいない状態（以下「通常状態」という。）の手摺装置１において、上面部８１の後端面８１ｃは、前後方向について横方向溝部１２４の中間部に位置し、上面部８１の後端面８１ｃとこれに対向する横方向溝部１２４の底面１２４ａとの間に間隔１２６が存在している。
【０１１０】
横固定面部１２２は、前後方向を板厚方向とする幅狭の板状部分であり、その幅寸法（上下方向の寸法）を、横係合面部１２１の幅寸法（前後方向の寸法）の１／３〜１／２程度としている。横固定面部１２２は、鉛直状の平面である後面１２２ａを有する。また、横フレーム部１１１は、横方向溝部１２４の左右両端側を塞ぐとともに横フレーム部１１１の左右両側において矩形状の端面をなす左右の側面部１２７，１２７を有する。
【０１１１】
縦フレーム部１１２，１１３について、図２６および図２７を用いて説明する。左右の縦フレーム部１１２，１１３は、それぞれ対応するカバー１４の面部の後縁部を受け入れる構成や横断面形状等の概略的な構成については、横フレーム部１１１と共通の構成を備える。一方、カバー１４に対する縦フレーム部１１２，１１３の係合部分は、縦フレーム部１１２，１１３とカバー１４との係止構造を有する点で、カバー１４に対する横フレーム部１１１の係合部分と異なる。左右の縦フレーム部１１２，１１３は、カバー１４の構成とともに左右対称に構成されているため、主に右側の縦フレーム部１１３のカバー１４に対する係合部分について説明し、対応する構成については同一の符号を付す。
【０１１２】
縦フレーム部１１３は、略「Ｌ」状の横断面形状をなす直線状の部材により構成されており、カバー１４の右側面部８３の上下方向の寸法と略同じ長さを有する。縦フレーム部１１３の下端は、パッキン８８の直上に位置している。縦フレーム部１１３は、略「Ｌ」状の横断面形状をなす部分として、カバー１４の右側面部８３の後縁部８３ｂ（左側の縦フレーム部１１２においては左側面部８２の後縁部）を受け入れる鉛直面状の縦係合面部１３１と、縦係合面部１３１の後端部から左右内方に向けて形成された鉛直面状の縦固定面部１３２とを有する。
【０１１３】
縦係合面部１３１は、互いに平行な左右一対の鉛直面部１３１ａ，１３１ｂと、鉛直状の前面部１３１ｃとを有する。前面部１３１ｃは、左右内側の鉛直面部１３１ｂと直角状の角部をなし、左右外側の鉛直面部１３１ａの前端部とともに、正面視で上下方向に延びたスリット状の開口部１３３を形成している。
【０１１４】
開口部１３３は、縦係合面部１３１において左右の鉛直面部１３１ａ，１３１ｂと、縦固定面部１３２の左右外側の縁部とにより形成された縦方向溝部１３４の前側の開口部となる。前面部１３１ｃの左右外側の端面と、左右外側の鉛直面部１３１ａの前縁部の左右内側面との間に、開口部１３３をなす隙間が形成されている。開口部１３３の隙間寸法は、縦方向溝部１３４の左右方向の寸法、つまり左右の鉛直面部１３１ａ，１３１ｂ間の間隔よりも小さくなっている。
【０１１５】
縦係合面部１３１は、縦方向溝部１３４内に、カバー１４の右側面部８３の後縁部８３ｂを差し込ませている。右側面部８３の後縁部８３ｂには、右側面部８３の厚さを部分的に厚くした係止部１３５が形成されている。係止部１３５は、右側面部８３の他の部分の約２倍程度の厚さで左右内側に突出する態様で、右側面部８３の後端部において矩形状の横断面形状をなすように形成されている。なお、左側面部８２においても、右側面部８３と左右対称に係止部１３５が形成されている。
【０１１６】
開口部１３３の隙間寸法は、カバー１４の右側面部８３の板厚と略同一あるいは同板厚よりも大きい。また、縦方向溝部１３４の左右方向の寸法は、係止部１３５の板厚（左右方向の寸法）と略同一あるいは同板厚よりも大きい。これにより、右側面部８３と縦フレーム部１１３との前後方向の相対的なスライド移動が可能となっている。また、係止部１３５の板厚は、開口部１３３の隙間寸法よりも大きくなっている。これにより、縦フレーム部１１３のカバー１４に対する相対的な後方移動については、前面部１３１ｃの後面に係止部１３５が接触することで、縦フレーム部１１３がカバー１４に係止され、縦フレーム部１１３に対する右側面部８３の抜けが規制される。
【０１１７】
このように、縦フレーム部１１３は、縦係合面部１３１の縦方向溝部１３４内にカバー１４の右側面部８３の後縁部８３ｂを差し込ませた状態で、右側面部８３に対して前後方向にスライド状に相対移動可能に設けられている。そして、縦フレーム部１１３は、開口部１３３を介して縦方向溝部１３４内に右側面部８３の係止部１３５を位置させた構成により、カバー１４に対する係止構造をなしている。なお、縦フレーム部１１３を右側面部８３に係合させる際は、例えば、縦フレーム部１１３の弾性変形を利用して一時的に広げられた開口部１３３を介して、係止部１３５が縦方向溝部１３４内に入れられる。
【０１１８】
本実施形態では、縦係合面部１３１は、右側面部８３の後側の略１／４の部分を、後縁部８３ｂとして縦方向溝部１３４内に位置させている。通常状態の手摺装置１において、右側面部８３の後端面８３ｃは、前後方向について縦方向溝部１３４の中間部に位置し、右側面部８３の後端面８３ｃとこれに対向する縦方向溝部１３４の底面１３４ａとの間に間隔１３６が存在している。
【０１１９】
縦固定面部１３２は、前後方向を板厚方向とする幅狭の板状部分であり、その幅寸法（左右方向の寸法）を、縦係合面部１３１の幅寸法（前後方向の寸法）の略１／２としている。縦固定面部１３２は、鉛直状の平面である後面１３２ａを有する。また、縦フレーム部１１２，１１３を構成する直線状の部材は、一定の横断面形状を有し、両端側において縦方向溝部１３４を開口させている。
【０１２０】
以上のように、係合フレーム部材１１０は、カバー１４の後縁部に沿って伸延した凹状の溝部を有し、この溝部内に、カバー１４の後縁部を収容するように構成されている。すなわち、係合フレーム部材１１０は、横フレーム部１１１において、カバー１４の上面部８１の後縁部８１ｂに沿って左右方向に伸延した凹状の横方向溝部１２４を有し、横方向溝部１２４内に、上面部８１の後縁部８１ｂを収容し、縦フレーム部１１２，１１３において、カバー１４の左側面部８２、右側面部８３の後縁部８２ｂ，８３ｂに沿って上下方向に伸延した凹状の縦方向溝部１３４を有し、縦方向溝部１３４内に、左側面部８２、右側面部８３の後縁部８２ｂ，８３ｂを収容している。
【０１２１】
このように、係合フレーム部材１１０は、カバー１４の後縁部を収容した状態で、カバー１４に対して前後方向にスライド状に相対移動可能に取り付けられる。係合フレーム部材１１０は、カバー１４に取り付けられた状態で、横フレーム部１１１の上側の水平面部１２１ａを、カバー１４の外側となる上面部８１の後縁部８１ｂの上側に位置させており、左右の縦フレーム部１１２，１１３の左右外側の鉛直面部１３１ａを、カバー１４の外側となる左側面部８２、右側面部８３の後縁部８２ｂ，８３ｂの左右外側に位置させている。
【０１２２】
係合フレーム部材１１０において、横フレーム部１１１の左右両端部と、左右の縦フレーム部１１２，１１３それぞれの上端部とは、面一状の後面１１０ａをなすように繋がっている。つまり、係合フレーム部材１１０の後面１１０ａは、横フレーム部１１１の横固定面部１２２の後面１２２ａと、左右の縦フレーム部１１２，１１３の縦固定面部１３２の後面１３２ａとにより、係合フレーム部材１１０の略「コ」字状のフレーム形状に沿って連続した鉛直状の平面として形成されている。係合フレーム部材１１０の後面１１０ａが、側壁６に対する係合フレーム部材１１０の固定面となる。
【０１２３】
係合フレーム部材１１０は、後面１１０ａを全面的に壁面６ａに接触させた状態で、側壁６に固定されている。本実施形態では、図２４および図２６に示すように、係合フレーム部材１１０は、シート状の接着部材である両面テープ１４０により側壁６に固定されている。両面テープ１４０は、係合フレーム部材１１０の後面１１０ａと、壁面６ａとの間に介在し、係合フレーム部材１１０を側壁６に接着固定している。両面テープ１４０は、係合フレーム部材１１０の後面１１０ａに対して全体的にあるいは部分的に設けられる。
【０１２４】
なお、係合フレーム部材１１０を側壁６に固定する方法は、両面テープ１４０を用いた方法に限定されず、例えば接着剤やネジ等の固定具を用いた方法等であってもよい。ただし、本実施形態のように両面テープ１４０のようなシート状の接着部材を用いた方法によれば、簡易な作業によって確実に係合フレーム部材１１０を側壁６に固定することができる。
【０１２５】
本実施形態に係る手摺装置１の設置手順の一例について説明する。まず、手摺本体部１１から、ボード部２４を含む支持アーム部２１の前部と上下の化粧カバー５９とが外された状態のものが、固定ボルト７７によって支持フレーム１３に固定され、上下の化粧カバー５９が取り付けられる。次に、手摺本体部１１の一部を支持した状態の支持フレーム１３が、トイレ３内における所定の設置位置において、アンカーボルト７５によって床４に固定される。また、支持フレーム１３は、アングル部材９２において壁固定ボルト９５により側壁６に固定される。
【０１２６】
次に、手摺本体部１１の一部を支持した状態の支持フレーム１３にカバー１４が固定される。ここで、カバー１４の開口窓８９を介して、手摺本体部１１の一部（支持アーム部２１の後部）が前方に突出する。また、カバー１４には、あらかじめ係合フレーム部材１１０が係合した状態となっており、さらに、両面テープ１４０も係合フレーム部材１１０の後面１１０ａにあらかじめ貼着されている。これにより、支持フレーム１３に対するカバー１４の取付けとともに、カバー１４に係合した状態の係合フレーム部材１１０が、両面テープ１４０によって壁面６ａに固定される。そして、手摺本体部１１の開口窓８９から前方に突出した部分に対して、ボード部２４を含む支持アーム部２１の前部が取り付けられる。
【０１２７】
以上のように洋風便器２に対して設置される手摺装置１は、トイレ３内において、洋風便器２の先端と手摺本体部１１の左右方向の中心位置との間の前後方向の寸法が例えば１５０ｍｍ程度となるように設けられる。また、手摺装置１は、ボード部２４の上面を、洋風便器２の便座２ｂの上面から例えば２５０ｍｍ程度の高さに位置させるように設けられる。
【０１２８】
本実施形態に係る手摺装置１における係合フレーム部材１１０の動作について、図２８を用いて説明する。図２８は、係合フレーム部材１１０の右側の縦フレーム部１１３の平面断面図を示している。
【０１２９】
図２８Ａは、手摺装置１が通常状態である場合を示している。この場合、図２８Ａに示すように、通常状態の手摺装置１において、係止部１３５は、前後方向について縦方向溝部１３４内における略中央部に位置している。
【０１３０】
図２８Ｂは、使用者がボード部２４に寄りかかること等によりボード部２４に下向きの荷重が作用し、支持フレーム１３が前傾状に撓んだ状態となった場合を示している（図７、矢印Ｄ１，Ｄ２参照）。この場合、図２８Ｂに示すように、カバー１４が支持フレーム１３とともに前傾状となるため、係止部１３５は、縦方向溝部１３４内において略中央部から前方に移動する（矢印Ｆ１参照）。
【０１３１】
図２８Ｃは、使用者がボード部２４を引っ張る態様でつかまること等によりボード部２４に上向きの荷重が作用し、支持フレーム１３が後傾状に撓んだ状態となった場合を示している。この場合、図２８Ｃに示すように、カバー１４が支持フレーム１３とともに後傾状となるため、係止部１３５は、縦方向溝部１３４内において略中央部から後方に移動する（矢印Ｆ２参照）。
【０１３２】
以上のように支持フレーム１３の前後方向の撓み変形にともなって係止部１３５が縦方向溝部１３４内を前後方向に移動する構成において、手摺装置１の通常使用の範囲で支持フレーム１３の撓み量について想定される範囲内で、係止部１３５が縦方向溝部１３４の前面（前面部１３１ｃの後面）および後面（底面１３４ａ）のいずれにも接触しないように構成されている。これにより、支持フレーム１３の撓み変形にともなってカバー１４から係合フレーム部材１１０に対して前後方向の力が作用することが抑制される。
【０１３３】
また、図示は省略するが、横フレーム部１１１においては、支持フレーム１３の前後の撓みにともない、上面部８１の後縁部８１ｂが、横方向溝部１２４内を前後に移動する。そして、係合フレーム部材１１０は、横フレーム部１１１において、支持フレーム１３の撓み量について想定される範囲内で、横方向溝部１２４に対する上面部８１の後縁部８１ｂの挿入状態が保持されるように構成されている。なお、支持フレーム１３が前傾状に撓む場合の支持部１２の（カバー１４の）壁面６ａに対する最大の移動量は、例えば、支持部１２の上端位置において２〜３ｍｍ程度となる。
【０１３４】
以上説明した本実施形態に係る手摺装置１によれば、設置のための施工を容易とすることができるとともに、手摺本体部１１に作用する荷重によって、手摺本体部１１を支持する支持部１２が撓むことによる支持部１２と側壁６との間の隙間の発生を防止することができる。
【０１３５】
すなわち、本実施形態の手摺装置１は、手摺本体部１１を支持する支持フレーム１３を床面４ａに固定し、手摺本体部１１に作用する荷重を床面４ａで受ける構成のものである。このため、手摺装置１によれば、手摺本体部を壁に支持する構成の場合と比べて、壁に補強構造を組み込んだり建築物側の構造を一旦壊したりする必要がなく、設置のための施工の負担を小さくすることができ、施工時間を短くすることができる。
【０１３６】
また、手摺装置１は、支持部１２において隙間発生防止手段を有するため、手摺本体部１１に使用者の体重等の荷重が作用することで支持部１２に撓みが生じた場合において、支持部１２と壁面６ａとの間に隙間が生じることを防止ないし抑制することができる。特に、隙間発生防止手段によれば、支持フレーム１３の撓み変形にともなう壁面６ａに対するカバー１４のズレが許容されながら、カバー１４と壁面６ａとの間の隙間の発生が防止ないし抑制される。
【０１３７】
これにより、例えば、使用者が壁面６ａからカバー１４伝いに体を寄りかからせながら移動した際に、使用者や介助者の衣服等がカバー１４と壁面６ａとの間の隙間に挟まってしまうことを防止ないし抑制することができる。また、カバー１４と壁面６ａとの間の隙間からカバー１４内に水（尿なども含む）や埃が入り込むことを防止ないし抑制することができる。
【０１３８】
また、手摺装置１において、カバー１４は、支持フレーム１３に固定されており、隙間発生防止手段は、側壁６側に固定される部分であってカバー１４の後縁部に係合するとともに支持フレーム１３の撓みにともなうカバー１４の移動を許容する係合フレーム部材１１０を有する。このような構成によれば、カバー１４を側壁６に固定する必要をなくすことができるため、良好な施工性を得ることができる。つまり、カバー１４と壁面６ａとの間の隙間の発生を防止することができつつ、手摺装置１の設置作業における施工性を向上することができる。
【０１３９】
また、手摺装置１において、係合フレーム部材１１０は、カバー１４の後縁部に沿って伸延した凹状の溝部として、横方向溝部１２４および縦方向溝部１３４を有し、これらの溝部内に、カバー１４の各面部の後縁部を収容するように構成されている。このような構成によれば、単純な構成により、隙間発生防止手段を実現することができ、カバー１４と壁面６ａとの間に隙間が発生することを防止することができる。
【０１４０】
特に、本実施形態の係合フレーム部材１１０は、左右の縦フレーム部１１２，１１３において、カバー１４との間の係止構造を有する。このような構成によれば、横方向溝部１２４および縦方向溝部１３４からカバー１４の後縁部が抜けることを防止することができるので、カバー１４に対する係合フレーム部材１１０の係合状態を保持することができ、カバー１４と壁面６ａとの間の隙間の発生を効果的に防止することができる。
【０１４１】
また、係合フレーム部材１１０の係止構造は、支持フレーム１３の撓み量について想定される範囲内で、係止部１３５が縦係合面部１３１に対して係止状態とならないように、つまり、縦方向溝部１３４内において係止部１３５の前側および後側に常時空間が確保されるように構成されている。このような構成によれば、支持フレーム１３が撓み変形した際、係止部１３５を介して係合フレーム部材１１０に前後方向の力が作用することを抑制することができる。これにより、係合フレーム部材１１０が係止部１３５により引っ張られることで壁面６ａから外れたり、係合フレーム部材１１０が係止部１３５により押されることで係合フレーム部材１１０やカバー１４に変形が生じたりすることを抑制することができる。
【０１４２】
なお、係合フレーム部材１１０のカバー１４に対する係止構造に関し、係止部１３５は、カバー１４の左側面部８２、右側面部８３それぞれの後縁部において上下方向について連続して全体的に形成されてもよいし部分的に形成されてもよい。また、係合フレーム部材１１０の係止構造は、横フレーム部１１１に設けられてもよい。この場合、上面部８１の後縁部８１ｂおよびこれに係合する横フレーム部１１１が、左側面部８２、右側面部８３の後縁部およびこれらに係合する縦フレーム部１１２，１１３と同様の横断面形状をなすように構成される。係合フレーム部材１１０の係止構造は、横フレーム部１１１および縦フレーム部１１２，１１３の少なくともいずれか一方に設けられればよい。
【０１４３】
以上のような構成を備えた本実施形態の手摺装置１のように支持部１２を壁面６ａに沿わせるように配置した構成においては、手摺本体部１１につかまった使用者は、車椅子と洋風便器２との間の移乗の際などにおいて、体を壁面６ａに沿わせながら移動する場合がある。つまり、使用者は、車椅子と洋風便器２との間を移動する際など、手摺本体部１１につかまりながら、支持部１２が沿う壁面６ａに体をあずけた状態で移動する場合がある。このような場合、支持部１２の形状によっては、壁面６ａに沿うように設置された支持部１２に使用者の体が引っかかり、支持部１２によって使用者の移動が妨げられるおそれがある。
【０１４４】
そこで、本実施形態の手摺装置１において、支持部１２の洋風便器２側には、上面視（平面視）で壁面６ａに垂直な方向に対して傾斜状の直線に沿う面取部３００が設けられている。図２９に示すように、手摺装置１において、支持部１２の洋風便器２側は左側であり、支持部１２の左側に、面取部３００が設けられている。なお、手摺装置１の左側は、トイレ３においては後側となる。
【０１４５】
図２９に示すように、面取部３００は、壁面６ａに垂直な方向、つまり手摺装置１の前後方向に対して傾斜状の直線Ｌ１に沿う部分となる。前後方向に対する直線Ｌ１の傾斜角度α１は、約４５°である。面取部３００は、略五角形状に沿う横断面での外形範囲を上下方向の略全体について略一定として五角柱状の外形に沿う支持部１２において、二点鎖線で示すように平面視で直角をなす仮想角部３０１の角形状に対する面取状の部分として形成されている。仮想角部３０１は、手摺装置１の前後・左右方向に沿う直角の角部であり、支持部１２の高さ方向に沿う稜線部を形成する部分となる。なお、直線Ｌ１の傾斜角度α１の大きさは、特に限定されるものではないが、例えば、手摺装置１と洋風便器２との間の距離等に応じて３０〜６０°の範囲内の角度で設定される。
【０１４６】
面取部３００は、上面視で壁面６ａに垂直な方向（前後方向）に対して傾斜状の直線Ｌ１に沿う傾斜面３０２を有する。本実施形態では、支持部１２の外形をなすカバー１４の左傾斜面部８４の表面８４ａが、面取部３００の傾斜面３０２となる。すなわち、支持フレーム１３の外形に対応して複数の面部によって五角柱状の外形に沿うように構成されたカバー１４において、左前側の面部である左傾斜面部８４により、支持部１２の左側に、仮想角部３０１に対する面取部３００が形成されており、左傾斜面部８４の表面８４ａが傾斜面３０２となる。
【０１４７】
面取部３００は、支持部１２において、前後方向について前側（手摺本体部１１側）の半分以上の範囲で設けられる。本実施形態では、支持部１２の表面部を構成するカバー１４の左側において、前後方向について、後側の約１／３の範囲が、平面視で前後方向に沿う左側面部８２となっており、前側の約２／３の範囲が、面取部３００を形成する傾斜面３０２をなす左傾斜面部８４となっている。
【０１４８】
また、面取部３００は、上下方向について支持部１２の下端から手摺本体部１１の近傍の部位まで連続して形成されている。本実施形態では、面取部３００は、支持部１２の高さ方向について全体的に設けられている。すなわち、略五角形状に沿う横断面での外形範囲を略全体的に略一定として五角柱状の外形に沿う支持部１２において、その外形をなすカバー１４の左傾斜面部８４により、支持部１２の高さ方向の略全体にわたって面取部３００が形成されている。
【０１４９】
また、支持部１２は、全体として略左右対称に構成されている。このため、支持部１２においては、左側の面取部３００と同様の観点で右側にも面取部３１０が設けられている。すなわち、図２９に示すように、面取部３１０は、壁面６ａに垂直な方向に対して約４５°の傾斜角度α２をなす傾斜状の直線Ｌ２に沿う部分となり、五角柱状の外形に沿う支持部１２において、二点鎖線で示すように平面視で直角をなす仮想角部３１１の角形状に対する面取状の部分として形成されている。仮想角部３１１は、手摺装置１の前後・左右方向に沿う直角の角部であり、支持部１２の高さ方向に沿う稜線部を形成する部分となる。
【０１５０】
そして、右側の面取部３１０は、左側の面取部３００と左右対称的に、カバー１４の右傾斜面部８５の表面８５ａを、傾斜状の直線Ｌ２に沿う傾斜面３１２としており、また、前後方向について、カバー１４の前側の約２／３の範囲を、面取部３１０を形成する傾斜面３１２をなす右傾斜面部８５としている。また、面取部３１０は、支持部１２の外形をなすカバー１４の右傾斜面部８５により、支持部１２の高さ方向の略全体にわたって形成されている。
【０１５１】
このように、本実施形態の手摺装置１において、面取部は、支持部１２の洋風便器２側と反対側である右側にも設けられている。そして、支持部１２は、左側および右側のそれぞれに面取部３００，３１０を設けた部分について、上面視で壁面６ａに沿う方向に対称的な形状を有する。つまり、左右の面取部３００，３１０は、支持部１２において左右方向に対称な形状をなすように設けられている。これにより、支持部１２は、平面視において、左右の面取部３００，３１０を形成する前側の部分について、前側を頂点側とする二等辺三角形状に沿う形状を有する。
【０１５２】
また、本実施形態の手摺装置１において、支持部１２は、壁面６ａに沿うように配置された支持フレーム１３と、支持フレーム１３を覆うカバー１４とを有し、面取部３００，３１０の傾斜面３０２，３１２は、それぞれカバー１４に形成されている。すなわち、左側の面取部３００の傾斜面３０２は、カバー１４の左傾斜面部８４の表面８４ａとして形成されており、右側の面取部３１０の傾斜面３１２は、カバー１４の右傾斜面部８５の表面８５ａとして形成されている。
【０１５３】
以上説明した本実施形態に係る手摺装置１によれば、設置のための施工を容易とすることができるとともに、使用者が手摺本体部１１につかまった状態で支持部１２に引っかかることなくスムーズに移動することができる。
【０１５４】
手摺装置１は、手摺本体部１１のボード部２４が洋風便器２の使用者のサポートに用いられることから、洋風便器２に対してある程度近い位置に設置される必要がある。しかし、支持部１２が、例えば洋風便器２側において図２９に示す仮想角部３０１をなすような張り出した外形を有する場合、使用者は、車椅子と洋風便器２の間の移乗等の際、支持部１２の角部に引っかかる等して支持部１２の角部が邪魔になり、使用者の移動が妨げられることが考えられる。
【０１５５】
そこで、本実施形態の手摺装置１のように、支持部１２の洋風便器２側の部分に面取部３００が設けられていることにより、使用者は、手摺本体部１１につかまりながら車椅子と洋風便器２の間の移乗を行ったり洋風便器２から立ち上がったりする際、面取部３００の形状に沿って移動することができるようになる。これにより、使用者は、手摺装置１によって体を支持されながら、支持部１２に体を引っかけることなくスムーズに移動することが可能となる。つまり、支持部１２が面取部３００を有することで、洋風便器２と支持部１２との間を通り抜ける移動がしやすくなる。図３０Ａに、使用者１０１が洋風便器２側（左側）の面取部３００に寄りかかった状態の一例を示している。また、図３０Ｂに、使用者１０１が洋風便器２側と反対側（右側）の面取部３１０に寄りかかった状態の一例を示している。
【０１５６】
また、使用者が洋風便器２に着座した状態においても、支持部１２が足回りの邪魔になることがなくなる。また、使用者は、手摺本体部１１につかまった状態で、カバー１４の面取部３００をなす部分に寄りかかることができるので、使用者の移動時の負担を軽減することができる。
【０１５７】
このようにカバー１４の面取部３００をなす部分を使用者が寄りかかる部分として用いる観点から、カバー１４において、少なくとも面取部３００，３１０をなす左傾斜面部８４、右傾斜面部８５の表面には、滑り性を良くするめの表面処理（シートの貼着けやコーティング等）を施したり、膝当て等として機能するクッション性のある部材を設けたりすることができる。
【０１５８】
また、支持部１２が面取部３００を有することにより、例えば使用者が支持部１２側に倒れかかった際、支持部１２が仮想角部３０１をなすような張り出した外形を有する場合と比べて、使用者が支持部１２にぶつかって怪我をすることを防ぐことができる。このように、支持部１２が面取部３００を有する構成によれば、使用者に対する高い安全性を得ることができる。
【０１５９】
また、支持部１２が面取部３００を有することにより、支持部１２が仮想角部３０１をなすような張り出した外形を有する場合と比べて、洋風便器２と支持部１２との間を介した側壁６へのアプローチ性を向上することができる。これにより、一般的にトイレ３において洋風便器２の近傍の側壁６等に設けられる手摺や紙巻器の使用をしやすくすることができ、また、同じく洋風便器２の近傍の側壁６等に設けられるプラグの差込み口（コンセント）に対する抜き差し作業を容易に行うことができる。また、洋風便器２と支持部１２との間を介したトイレ３の隅部のスペースの掃除をしやすくすることができる。さらに、支持部１２が面取部３００を有することにより、支持部１２が仮想角部３０１をなすような張り出した外形を有する場合と比べて、トイレ３内のスペースを有効活用することができる。
【０１６０】
また、手摺装置１において、面取部３００，３１０は、上面視で壁面６ａに垂直な方向に対して傾斜状の直線に沿う傾斜面３０２，３１２を有する。このような構成によれば、例えば、面取部３００が平面視で湾曲形状に沿う部分である場合（図３１参照）等との比較において、支持部１２をコンパクトに構成することができる。これにより、トイレ３内のスペースをより有効に活用することができるとともに、使用者は、洋風便器２の周りにおいて、支持部１２に妨げられることなくよりスムーズに移動することが可能となる。
【０１６１】
また、手摺装置１において、面取部３００は、上下方向について支持部１２の全体にわたって連続して形成されている。このような構成によれば、手摺本体部１１によって視認しにくくなる使用者の下肢を、面取部３００の傾斜面に沿ってスムーズに移動させることができる。また、支持部１２の面取部３００の平面視形状に応じて床面４ａも露出することになるので、支持部１２付近の清掃性を向上させることができる。すなわち、支持部１２は床面４ａに固定状態で設置されており移動させることができないため、支持部１２の洋風便器２側はスペースが比較的狭く清掃がしにくいが、支持部１２の高さ方向の全体にわたって面取部３００を設けることにより、その分スペースを広げることができるので、良好な清掃性を得ることができる。
【０１６２】
支持部１２における面取部３００の上下方向の形成範囲については、上述のとおりスムーズな移動を可能としたり清掃性を向上したりする観点からは、面取部３００は、少なくとも支持部１２の下端から手摺本体部１１の近傍の部位まで連続して形成されていればよい。ここで、手摺本体部１１の近傍の部位は、支持部１２において手摺本体部１１が突出するカバー１４の開口窓８９の形成部位である。つまり、面取部３００は、上下方向について、少なくとも支持部１２の下端から手摺本体部１１の突出部位の高さ位置までの範囲で形成されていればよい。
【０１６３】
また、手摺装置１において、支持部１２の洋風便器２側と反対側にも面取部３１０が設けられている。このような構成によれば、トイレ３における手摺装置１の取付け態様について、洋風便器２に対する左右の側壁のいずれに対する取付け態様の場合にも対応することができる。すなわち、トイレ３内において手摺装置１を上述した実施形態とは逆に洋風便器２の右方の側壁に対して設けた構成においても、上述したような面取部３００による作用効果を得ることができる。手摺装置１が洋風便器２の右方の側壁に対して設けられた場合、支持部１２の右側が洋風便器２側となり、右側の面取部３１０が主に上述したような作用効果を奏することになる。本実施形態では、支持部１２の全体的な左右対称構造により、左右両側に面取部３００，３１０を設けた構成が実現されている。
【０１６４】
また、手摺装置１において、支持部１２は、支持フレーム１３とこれを覆うカバー１４とを有し、カバー１４に面取部３００，３１０の傾斜面３０２，３１２が形成されている。このような構成によれば、使用者の体が支持フレーム１３に直接触れることを防止することができるので、使用者が支持部１２に体を沿わせて移動する際の使用者の不快感を抑制することができる。すなわち、支持フレーム１３をカバー１４で被覆した構成によれば、支持フレーム１３の角張った形状を外部に露出させることなく、使用者が接触する部分をカバー１４によってフラットな面形状とすることができる。これにより、面取部３００，３１０の傾斜面３０２，３１２を支持面として利用した使用者の移動をより快適でスムーズなものとすることが可能となる。さらに、上述のとおりカバー１４に表面処理を施すことで、傾斜面３０２，３１２を、使用者を接触支持する部分として好ましい部分にすることができる。
【０１６５】
また、手摺装置１において、手摺本体部１１は、支持部１２に対して水平方向に回動可能に設けられた支持アーム部２１を有する。このような構成によれば、使用者は、面取部３００，３１０の傾斜面３０２，３１２に体を沿わせつつ、支持アーム部２１のボード部２４につかまってこれを回動させながら移動することができるため、使用者の移動をよりスムーズなものとすることができる。すなわち、手摺本体部１１が支持アーム部２１を有する構成によれば、使用者がつかまる部分を、使用者の移動に連動して移動（回動）させることができるので、面取部３００，３１０の傾斜面３０２，３１２を、使用者を支持する面として効果的に利用することができる。
【０１６６】
（面取部の変形例１）
支持部１２が有する面取部の変形例について説明する。この変形例では、図３１に示すように、支持部１２が有する面取部３２０が、平面視で湾曲線に沿う部分として形成されている。図３１に示す例では、面取部３２０は、平面視で外側を膨出側とした円弧状の湾曲面３２１を形成している。
【０１６７】
図３１に示す例では、支持部１２を構成するカバー１４は、その前側かつ左右方向の洋風便器２側（左側）の部分を形成する面部として、平面視で表面を円弧状の湾曲面３２１とする曲面部３２２を有する。すなわち、面取部３２０は、二点鎖線で示すように平面視で直角をなす直角の仮想角部３０１の角形状に対する面取状の部分として形成されており、曲面部３２２により、使用者を支持する面となる湾曲面３２１を形成している。また、図３１に示す例では、支持部１２の右側においても、面取部３２０と左右対称な形状部分として面取部３３０が設けられている。このように、湾曲面による面取部３２０，３３０であっても、上述したような作用効果を得ることができる。
【０１６８】
（面取部の変形例２）
また、図３２に示すように、支持部１２は、面取部３００を左右片側に設けた構成であってもよい。この場合、面取部３００は、左右方向について、洋風便器２が位置する側に設けられる。図３２に示す例では、支持部１２において、左右方向について面取部３００が設けられた側と反対側である右側の角部３３５は、例えば図２９に示す仮想角部３１１をなすような張り出した角形状を有している。
【０１６９】
（面取部の変形例３）
また、図３３に示すように、支持部１２は、面取部３４０がなす傾斜面３４１を壁面６ａまで延設した構成であってもよい。すなわち、この変形例では、カバー１４は、左側面部８２を有することなく、左側の面部を、前後方向の全体にわたって、前後方向に対して傾斜角度α１傾斜した直線Ｌ１に沿う傾斜面３４１を形成する傾斜面部３４２としている。
【０１７０】
このような構成によれば、支持部１２において、面取部３４０による傾斜面３４１を、壁面６ａと滑らかに連続するような面とすることができるので、壁面６ａに体をあずけた状態で移動する使用者が、壁面６ａから滑らかに支持部１２の面取部３４０へと移行することができる。つまり、支持部１２の傾斜面３４１によれば、洋風便器２の周囲において、使用者を寄りかからせる支持面として、壁面６ａと傾斜面３４１とによって連続的な一連の支持面を形成することができ、使用者のよりスムーズな移動が可能となる。また、この変形例の構成によれば、支持部１２の面取部３４０において使用者が寄りかかる支持面について広い面積を確保しやすくなる。なお、この変形例の面取部３４０についても、支持部１２において左右対称に設けてもよい。
【０１７１】
［手摺装置の第２実施形態］
手摺装置の第２実施形態について説明する。なお、以下に説明する各実施形態において、第１実施形態と同一のまたは対応する構成については同一の符号または同一の名称を用いる。本実施形態の手摺装置ユニット４００は、図３４に示すように、上述した実施形態の手摺装置１の上側に、格子状の手摺４０２を設けた構成を備える。手摺４０２は、手摺装置１のカバー１４の上面部８１の上側に設置されている。
【０１７２】
手摺４０２は、手摺装置１の支持フレーム１３を構成する前側支柱６１および左右の後側支柱６２，６３それぞれに対応した位置に設けられた同じ高さの３本の支柱部４１１，４１２，４１３と、支柱部間に水平状に横架された棒状の部分である複数の横桟部４１４，４１５とを有し、全体として格子状に構成されている。手摺４０２は、前側の支柱部４１１と左側の支柱部４１２との間に３本の横桟部４１４を有し、前側の支柱部４１１と右側の支柱部４１３との間に３本の横桟部４１５を有する。
【０１７３】
手摺４０２は、全体として左右対称に構成されており、平面視で略「Ｖ」字状をなす。左右両側それぞれの３本の横桟部４１４，４１５は、上下方向について、支柱部４１１，４１２，４１３の上端部の位置と、支柱部を略三等分する２箇所の位置との３箇所に略等間隔で設けられている。手摺４０２は、３本の支柱部４１１，４１２，４１３の下端部を、支持部１２に対して溶接やボルト締結等によって固定させることで、上面部８１上に立設されている。手摺４０２の上下方向の寸法は、手摺装置１の高さと略同じとなっている。手摺４０２は、例えば、金属製あるいは樹脂製の一体の部材により構成されている。
【０１７４】
本実施形態の手摺装置ユニット４００によれば、使用者が洋風便器２や車椅子１００に対する立ち座りの際に手摺４０２を把持することで、使用者自身および介助者の負担を軽減することができる。そして、手摺４０２を設けることで、使用者は手摺４０２を把持するとともに手摺４０２に体を沿わせながら移動することができるので、面取部３００による支持部１２の外観形状と相俟って、洋風便器２および手摺装置１の周囲における使用者のよりスムーズな移動が可能となる。
【０１７５】
［手摺装置の第３実施形態］
手摺装置の第３実施形態について、図３５から図４２を用いて説明する。本実施形態に係る手摺装置５０１において、手摺本体部１１を支持する支持部５１２は、トイレ３の床に固定されるとともに手摺本体部１１を支持する支持フレーム５１３と、支持フレーム５１３を覆うカバー５１４とを有する。支持部５１２は、全体的に左右対称に構成されている。支持部５１２は、手摺本体部１１より下側の部分を、平面視で前側を凸側とした略半円形状の外形を有する半円筒状基部５２０としている。
【０１７６】
本実施形態に係る支持フレーム５１３について、図３９から図４１を用いて説明する。なお、図４１は、図４０におけるＤ−Ｄ位置の水平断面図である。
【０１７７】
支持フレーム５１３は、半円筒状基部５２０の平面視形状に沿う略半円形状の平板状の部分であるベース板部５６０を有する。ベース板部５６０は、左右方向に沿う背面側の後辺部５６０ａと、前後方向に沿う左右両側の左側辺部５６０ｂおよび右側辺部５６０ｃと、半円状の湾曲辺部５６０ｄとを有する。ベース板部５６０は、支持部５１２の底面部を形成している。
【０１７８】
支持フレーム５１３は、ベース板部５６０上に立設された支柱として、ベース板部５６０の後側の左右両側の直角状の角部に位置する左右の後側支柱６２，６３を有する。すなわち、本実施形態に係る支持フレーム５１３は、第１実施形態に係る支持フレーム１３との比較において前側支柱６１を省略した構成を有する。
【０１７９】
支持フレーム５１３において、ベース板部５６０を貫通するアンカーボルト７５による床４に対する固定部は、左右の後側支柱６２，６３の左右内側の位置と、ベース板部５６０の前部の左右中央の位置との計３箇所に設けられている。なお、床４に対する支持フレーム５１３の固定構造は、本実施形態に限定されるものではない。
【０１８０】
支持フレーム５１３において、左右の後側支柱６２，６３間には、前後方向を板厚方向とする鉛直板状の支持背面部５６８が設けられている。支持背面部５６８は、前後方向について左右の後側支柱６２，６３の略中央部に位置し、左右の後側支柱６２，６３間に架設された態様で設けられている。支持背面部５６８は、上下方向について、後側支柱６２，６３の上端近傍の位置から中央位置よりも下側寄りの位置までの範囲にわたる長さを有する。支持背面部５６８の後側に、上下２本の横フレーム部７２，７２が設けられている。
【０１８１】
支持背面部５６８の左右両端の前側には、左右方向を板厚方向とする鉛直板状の側面部５６９が設けられている。側面部５６９は、左右の後側支柱６２，６３の左右内側の側面６２ｅ，６３ｅに沿う後側面部５６９ａと、後側面部５６９ａから前側に向けて延出した前側面部５６９ｂとを有する。後側面部５６９ａは、上下方向について、支持背面部５６８と略同じ長さを有する。前側面部５６９ｂは、上下方向について、半円筒状基部５２０を構成する部分の上部に位置しており、半円筒状基部５２０の略上半部の範囲にわたる長さを有する。
【０１８２】
支持フレーム５１３において、左右の後側支柱６２，６３の上端部間には、左右方向を長手方向とする略矩形板状の天面部５６６が設けられている。天面部５６６は、左右の後側支柱６２，６３の上端部間から前方に向けて庇状に突出している。天面部５６６は、前側の縁部を、後側と凸側とした弧状をなす湾曲辺部５６６ａとしている。湾曲辺部５６６ａは、前後方向について、上側の化粧カバー５９の横カバー部５９ａの後部の上方に位置している。
【０１８３】
本実施形態では、支持背面部５６８、左右の側面部５６９、および天面部５６６は、１枚の鋼板を屈曲成形することによって形成されている。すなわち、支持背面部５６８と左右の側面部５６９とは、平面断面視で直角状をなす角部（屈曲部）を形成しており（図４１参照）、支持背面部５６８と天面部５６６とは、側面断面視で直角状の角部（屈曲部）を形成している。ただし、支持背面部５６８、左右の側面部５６９、および天面部５６６は、各部をなす別体の板状部材同士を溶接やボルト固定等によって固定した構造であってもよい。
【０１８４】
支持フレーム５１３において、半円筒状基部５２０を構成する部分の上部には、水平板状の部分である中間面部５６５が設けられている。中間面部５６５は、ベース板部５６０と同様に平面視で前側を凸側とした略半円形状を有する。中間面部５６５は、後方への延出部５６５ａを有し、この延出部５６５ａを、左右の後側支柱６２，６３間に位置させるとともに、下側の横フレーム部７２の下面に対して溶接等によって固定させている。
【０１８５】
また、中間面部５６５は、その左右両端部を、左右の側面部５６９の前側面部５６９ｂの上部に対して交差させており、側面部５６９に対して溶接等によって固定されている。中間面部５６５および側面部５６９の交差部分において、中間面部５６５および側面部５６９のいずれか一方には、いずれか他方を差し込ませるためのスリット状の切欠部が形成されている。
【０１８６】
以上のような構成を備えた支持フレーム５１３に対し、手摺本体部１１が、第１実施形態と同様の態様で支持されている。すなわち、手摺本体部１１は、回動支持部２２の背面板部５７（図１３参照）を、支持フレーム５１３の支持背面部５６８に前側から合わせた状態で、後側から支持背面部５６８や背面板部５７を貫通して被螺挿部５８（図１３参照）に螺挿される固定ボルト７７によって支持フレーム５１３に固定されている。
【０１８７】
本実施形態に係るカバー５１４について説明する。図４２にカバー５１４の前方斜視図を示す。カバー５１４は、半円筒状基部５２０のカバー部分をなす半円筒状カバー部５１５と、半円筒状カバー部５１５よりも上側の部分をなす上カバー部５１６とを有する。カバー５１４は、背面側および底面側を開放させている。
【０１８８】
半円筒状カバー部５１５は、その外形をなす複数の面部として、中段上面部５８１、左側面部５８２、右側面部５８３、および半円筒面部５８５を有する。
【０１８９】
中段上面部５８１は、ベース板部５６０の前部と略同じ形状・寸法の外形を有する略半円形状の水平状の面部であり、平面視でベース板部５６０の前部に重なるように設けられている。中段上面部５８１は、手摺本体部１１を構成する下側の化粧カバー５９Ｂの横カバー部５９ａの下側に位置している。
【０１９０】
左側面部５８２および右側面部５８３は、それぞれ左右方向を板厚方向とする鉛直状の面部であり、平面視でベース板部５６０の左側辺部５６０ｂおよび右側辺部５６０ｃに沿うように設けられている。半円筒面部５８５は、平面視で前側と凸側とした半円形状をなす半円筒状の面部であり、平面視でベース板部５６０の湾曲辺部５６０ｄに沿うように設けられている。
【０１９１】
カバー５１４の下端縁部は、ベース板部５６０の外形に沿って後辺部５６０ａ以外の辺部を囲むように、ベース板部５６０の外側に位置している。つまり、カバー５１４は、その下端縁を、床面４ａに接触ないし略接触させるように構成されている。
【０１９２】
上カバー部５１６は、半円筒状カバー部５１５の上側において、中段上面部５８１の後側に門状に立設された態様で設けられている。上カバー部５１６は、その外形をなす複数の面部として、天面部５９１、左側面部５９２、右側面部５９３、左右両側の前面部５９４、および左右の前面部５９４間に設けられた前側突出面部５９５を有する。
【０１９３】
左側面部５９２および右側面部５９３は、それぞれ半円筒状カバー部５１５を構成する左側面部５８２および右側面部５８３の上側への延長部分である。左右の前面部５９４は、それぞれ左右の後側支柱６２，６３の前面部６２ａ，６３ａに沿う面部である。左右の前面部５９４は、それぞれ、平面視において左側面部５９２または右側面部５９３とともに直角状をなすとともに、側面視において中段上面部５８１とともに直角状をなす面部である。
【０１９４】
左右の前面部５９４の下側には、左右の前面部５９４のそれぞれを下側へ延出した下側前面部５９４ａが設けられている（図４２参照）。前面部５９４と下側前面部５９４ａとにより、カバー５１４の上下方向の全体にわたる面一状の上下に細長い面部が形成されている。下側前面部５９４ａは、半円筒状カバー部５１５とともに、半円筒状基部５２０のカバー部分を構成している。
【０１９５】
前側突出面部５９５は、左右の前面部５９４の上部間をつなぐ部分である。前側突出面部５９５は、平面視で前面部５９４とともに鈍角をなすように前面部５９４から前側に立ち上がった側壁面部５９６と、左右の側壁面部５９６間に設けられた湾曲面部５９７とを有する。湾曲面部５９７は、平面視で側壁６側となる後側を凸側とした弧状をなす凹状の曲面部である。左右の側壁面部５９６と湾曲面部５９７とは、それぞれ平面視で弧状をなす湾曲面部を介してつながっている。
【０１９６】
天面部５９１は、後側の辺部を左右方向に沿う直線状の辺部とするとともに、左右の左側面部５９２、右側面部５９３、左右の前面部５９４、および前側突出面部５９５がなす平面視形状に沿う辺部を有する水平状の面部である。天面部５９１が、カバー５１４の上面部となる。
【０１９７】
上カバー部５１６は、左右の前面部５９４および前側突出面部５９５により、中段上面部５８１の後縁部とともに、手摺本体部１１を貫通させる開口窓５８９を形成している。開口窓５８９は、支持フレーム５１３に対する手摺本体部１１の支持位置に対応した部位に形成されており、正面視で横長矩形状の開口を形成している。
【０１９８】
開口窓５８９は、上下方向については、上下の化粧カバー５９の横カバー部５９ａが入る程度の寸法を有し、左右方向については、回動支持部２２の左右方向の寸法と略同じ寸法を有する。なお、左右の前面部５９４の左右内側の縁部には、前面部５９４と側壁面部５９６との角部をなす湾曲面部を下方に延出させた態様の部分である湾曲突面部５９０が形成されている。
【０１９９】
手摺本体部１１は、回動支持部２２の大部分および支持アーム部２１の全体を、開口窓５８９からカバー５１４の外側に露出させている。回動支持部２２については、上下の化粧カバー５９の縦カバー部５９ｂ（図１２参照）よりも前側の部分が、開口窓５８９からカバー５１４の外側に露出している。
【０２００】
このような回動支持部２２のカバー５１４からの露出態様においては、半円筒状カバー部５１５の中段上面部５８１の上方に、上下の化粧カバー５９の横カバー部５９ａが露出しており、上側の化粧カバー５９Ａの上面部５９ｄの後部の上側に、前側突出面部５９５の湾曲面部５９７が位置している。つまり、湾曲面部５９７は、上側の化粧カバー５９Ａの横カバー部５９ａ上において後壁状の部分として設けられている。
【０２０１】
カバー５１４は、支持フレーム５１３に対して、ボルト等の締結具やアングル部材等の固定部材を用いた所定の固定構造によって固定されている。
【０２０２】
以上のような構成を備えた支持部５１２において、カバー５１４の中段上面部５８１が、手摺本体部１１の支持面部となる。すなわち、中段上面部５８１の上面５８１ａが、下側の化粧カバー５９Ｂの横カバー部５９ａの下面５９ｅの接触を受ける支持面となる。通常状態の手摺装置５０１において、下側の化粧カバー５９Ｂの下面５９ｅは、中段上面部５８１の上面５８１ａに対して接触した状態あるいは略接触した状態（わずかな隙間を隔てた状態）となっている。化粧カバー５９Ｂは、下面５９ｅに突起等を有することで、横カバー部５９ａを部分的に中段上面部５８１の上面５８１ａに接触させるものであってもよい。
【０２０３】
このような手摺本体部１１の支持構成によれば、手摺本体部１１の自重や、手摺本体部１１に作用する使用者の体重等の下向きの荷重が、中段上面部５８１からカバー５１４により支持されることになる。このように手摺本体部１１からの荷重を支持するカバー５１４において、手摺本体部１１に対する十分な支持強度を得る観点から、カバー５１４の本体部材は、金属製の板状部材により構成されている。ただし、手摺本体部１１に対する十分な支持強度が得られるものであれば、カバー５１４の本体部材は、例えば樹脂製の部材等、金属製の部材以外の部材により構成されたものであってもよい。
【０２０４】
また、図３８に示すように、本実施形態に係る支持部５１２において、半円筒状基部５２０は、図３１に示す面取部の変形例１の構成と同様に、左右両側に、平面視で円弧状の湾曲面を形成する面取部６２０，６３０を有する部分であるといえる。すなわち、面取部６２０，６３０は、図３８において二点鎖線で示すように平面視で直角をなす直角の仮想角部６０１の角形状に対する面取状の部分となっている。
【０２０５】
このような構成によれば、使用者は、手摺本体部１１につかまりながら車椅子と洋風便器２の間の移乗を行ったり洋風便器２から立ち上がったりする際、面取部６２０，６３０の形状に沿って移動することができるようになる。これにより、使用者は、手摺装置５０１によって体を支持されながら、支持部５１２に体を引っかけることなくスムーズに移動することが可能となる。
【０２０６】
このように、半円筒状基部５２０が、使用者が寄りかかる部分として用いられることから、カバー５１４は、金属製の本体部材の表面を樹脂カバーで覆った構成のものであってもよい。また、カバー５１４の表面に、滑り性を良くするめの表面処理（シートの貼着けやコーティング等）を施したり、膝当て等として機能するクッション性のある部材を設けたりすることができる。
【０２０７】
以上のような構成を備えた手摺装置５０１において、支持部５１２に、トイレ３の備品等を収納するための収納部７１０が設けられている。手摺装置５０１は、上下方向に隣り合うように設けられた上段の収納部７１０Ａおよび下段の収納部７１０Ｂの２つの収納部７１０を有する。２つの収納部７１０は、支持部５１２における半円筒状基部５２０において、上下方向の中間部に設けられている。
【０２０８】
本実施形態では、収納部７１０は、トイレ３の備品であるトイレットペーパ７０２の収納に適した構成を有する。収納部７１０は、手摺装置５０１の正面視で円形状をなすとともに前側に開口した収納空間７１１を形成している。収納空間７１１は、前後方向を中心軸方向とする円筒状の内周面７１２と、前後方向に対して垂直な円形状の背面７１３とにより形成されている。
【０２０９】
収納部７１０は、円筒状の外形を有するロール状のトイレットペーパ７０２を、中心軸方向を前後方向とした向きで収納する。収納部７１０は、収納空間７１１の円筒形状について、一般的なロール状のトイレットペーパ７０２の外径に対応した内径を有し、トイレットペーパ７０２を差し入れた態様で収納する。トイレットペーパ７０２は、収納部７１０に対して前側から出し入れされる。
【０２１０】
収納空間７１１は、前後方向について、トイレットペーパ７０２の長さ（中心軸方向の寸法）よりも長い寸法を有する。これにより、収納部７１０は、トイレットペーパ７０２の全体を収納空間７１１内に位置させることができる。このように、収納部７１０には、トイレ３において例えば側壁６に設置された紙巻器に保持されるトイレットペーパに対する予備のトイレットペーパ７０２が収納される。
【０２１１】
図３９、図４０および図４１に示すように、収納部７１０は、支持フレーム５１３に設けられた収納筒７２０により構成されている。収納筒７２０は、略円筒状の部材であり、支持フレーム５１３を構成する左右の後側支柱６２，６３間において、中心軸方向を前後方向とする向きで設けられている。支持背面部５６８の下部には、上側の収納筒７２０を貫通させる略矩形状の開口部５６８ａが形成されている。
【０２１２】
収納筒７２０は、左右の後側支柱６２，６３間において固定状態で支持されている。収納筒７２０は、左右の後側支柱６２，６３それぞれに対して、直接的にまたはステー等の支持部材を介して間接的に、溶接やボルト固定等によって固定される。
【０２１３】
収納筒７２０は、その本体部分をなす部分として、円筒状の周壁部７２６と、周壁部７２６の後側を塞ぐ円盤状の底面部７２７とを有する。周壁部７２６の内周面７２２が、収納部７１０の内周面７１２となり、底面部７２７の前面７２３が、収納部７１０の背面７１３となる。
【０２１４】
収納筒７２０の前側の縁端は、カバー５１４の半円筒面部５８５の湾曲形状に沿った形状を有する。つまり、収納筒７２０の前側の縁端は、平面視で前側を凸側とした円弧形状に沿った形状を有し、側面視で後側を凸側とした湾曲形状を有する（図３７参照）。
【０２１５】
収納筒７２０の前側の縁部には、収納筒７２０の本体部分に対して径方向外側に突出した板状の鍔部７２４が設けられている。鍔部７２４は、収納筒７２０の本体部分に対して別体の部材を溶接等によって固定することで設けられた部分であってもよく、収納筒７２０の本体部分をなす部材の一部として設けられた部分であってもよい。
【０２１６】
鍔部７２４は、正面視で、略一定の幅を有し、収納筒７２０の円形の開口形状に沿った円環状の部分となるように、収納筒７２０の開口端の全周にわたって設けられている。鍔部７２４は、前側と凸側とした半円筒状に沿った湾曲形状を有し、前面７２４ａをカバー５１４の半円筒面部５８５の表面に対して面一状に連続させている。
【０２１７】
カバー５１４の半円筒面部５８５には、収納筒７２０の鍔部７２４に対応するように、正面視で円形状をなす開口５８５ａが上下２箇所に形成されている。開口５８５ａは、正面視形状である円形状の内径（孔径）を、鍔部７２４の正面視における外径と略同じとしている。開口５８５ａが収納筒７２０により塞がれた状態において、鍔部７２４は、開口５８５ａの開口縁部に沿い、前面７２４ａを半円筒面部５８５の表面に滑らかに連続させ、半円筒面部５８５とともに半円筒形状に沿う湾曲面を形成している。
【０２１８】
以上のように、本実施形態に係る手摺装置５０１は、上述した実施形態と異なる点として次のような構成を備える。すなわち、支持フレーム５１３の内側に、トイレットペーパ７０２等が収納可能な収納空間７１１をなす収納部７１０が設けられている。また、支持フレーム５１３を覆うカバー５１４に、収納空間７１１をカバー５１４の外部に臨んで開口させる開口５８５ａが形成されている。
【０２１９】
また、カバー５１４により、手摺本体部１１の自重および手摺本体部１１にかかる荷重が支持される。この点に関し、支持フレーム５１３において収納空間７１１を確保するため、支持フレーム５１３の前部に位置する前側支柱（第１実施形態に係る前側支柱６１）を無くし、その代わりにカバー５１４で手摺本体部１１を支持する構成が採用されている。
【０２２０】
以上説明した本実施形態に係る手摺装置５０１によれば、支持部１２において、手摺本体部１１に対する支持強度を確保しながら、カバー５１４の内部の空間を有効に利用することができ、トイレットペーパ７０２等のトイレ３の備品を収納することが可能となる。なお、収納部７１０は、トイレ３の備品の収納に限らず、使用者の持ち物等を一時的に置く場所としても使用することができる。
【０２２１】
以上のように実施形態を用いて説明した本発明に係る介助装置は、上述した実施形態に限定されず、本発明の趣旨に沿う範囲で、種々の態様を採用することができる。
【０２２２】
上述した実施形態では、手摺装置１は、トイレ３において洋風便器２の左方の側壁６対して設けられているが、洋風便器２の右方の側壁に対して設けられてもよい。また、洋風便器２は、床置き式の大便器に限らず、壁掛け式の大便器であってもよい。
【０２２３】
また、上述した実施形態では、カバー１４（カバー５１４）は、支持フレーム１３（支持フレーム５１３）に対してボルトにより固定されているが、支持フレーム１３（支持フレーム５１３）に対するカバー１４（カバー５１４）の固定構造は、特に限定されるものではない。かかる固定構造としては、例えば、マグネットや面ファスナーを用いたものや、フック状の部分を設けた引っ掛け構造であってもよい。
【０２２４】
また、上述した第３実施形態では、支持部５１２において２つの収納部７１０が支持部５１２の上下の中間部に縦並びに設けられているが、収納部７１０の個数や配設位置等は限定されるものではない。支持部５１２に収納部７１０を有する構成としては、例えば、１つの収納部７１０を支持部５１２の下端部に設けた構成や、同じ高さ位置に横並びに２つの収納部７１０を設けた構成等であってもよい。
【符号の説明】
【０２２５】
１      手摺装置（介助装置）
２      洋風便器（大便器）
３      トイレ（部屋）
４      床
６      側壁（壁）
６ａ    壁面
１１    手摺本体部
１２    支持部
１３    支持フレーム
１４    カバー
２１    支持アーム部
２２    回動支持部
５９    化粧カバー
８４    左傾斜面部
８４ａ  表面
８５    右傾斜面部
８５ａ  表面
３００，３１０，３２０，３３０，３４０  面取部
３０２，３１２  傾斜面
５０１  手摺装置
５１２  支持部
５１３  支持フレーム
５１４  カバー
５２０  半円筒状基部
５８１  中段上面部
５９５  前側突出面部
７１０  収納部
７２０  収納筒
【図１】
2020195774.tif 000003
【図２】
2020195774.tif 000004
【図３】
2020195774.tif 000005
【図４】
2020195774.tif 000006
【図５】
2020195774.tif 000007
【図６】
2020195774.tif 000008
【図７】
2020195774.tif 000009
【図８】
2020195774.tif 000010
【図９】
2020195774.tif 000011
【図１０】
2020195774.tif 000012
【図１１】
2020195774.tif 000013
【図１２】
2020195774.tif 000014
【図１３】
2020195774.tif 000015
【図１４】
2020195774.tif 000016
【図１５】
2020195774.tif 000017
【図１６】
2020195774.tif 000018
【図１７】
2020195774.tif 000019
【図１８】
2020195774.tif 000020
【図１９】
2020195774.tif 000021
【図２０】
2020195774.tif 000022
【図２１】
2020195774.tif 000023
【図２２】
2020195774.tif 000024
【図２３】
2020195774.tif 000025
【図２４】
2020195774.tif 000026
【図２５】
2020195774.tif 000027
【図２６】
2020195774.tif 000028
【図２７】
2020195774.tif 000029
【図２８】
2020195774.tif 000030
【図２９】
2020195774.tif 000031
【図３０】
2020195774.tif 000032
【図３１】
2020195774.tif 000033
【図３２】
2020195774.tif 000034
【図３３】
2020195774.tif 000035
【図３４】
2020195774.tif 000036
【図３５】
2020195774.tif 000037
【図３６】
2020195774.tif 000038
【図３７】
2020195774.tif 000039
【図３８】
2020195774.tif 000040
【図３９】
2020195774.tif 000041
【図４０】
2020195774.tif 000042
【図４１】
2020195774.tif 000043
【図４２】
2020195774.tif 000044